(57)【要約】  本発明の実施形態は、バックライト回路、電子機器、及びバックライト調節方法を提供し、液晶ディスプレイの分野に関する。バックライト回路は、バックライト電源チップと、アジャスタブル抵抗回路とを含む。バックライト電源チップは、基準電流を設定するように構成された設定ピンと、入力ピンと、出力ピンとを含み、アジャスタブル抵抗回路の一端が上記設定ピンに接続され、アジャスタブル抵抗回路は更に制御端を含み、該制御端は、切り換え信号を受け取るとともに、該切り換え信号に従って、上記設定ピンに接続される抵抗ブランチを、第１の抵抗ブランチから第２の抵抗ブランチへと切り換えるように構成され、バックライト電源チップは、基準電流に基づいて、且つ上記入力ピンによって受け取られるＰＷＭ信号のデューティサイクルに従って、駆動電流を生成するとともに、上記出力ピンを用いることによって該駆動電流を出力するように構成される。本発明の実施形態では、バックライト強度がより低い輝度又はより高い輝度に到達するように、いっそう大きい電流値調節範囲内で駆動電流を出力するよう、バックライト電源における基準電流が、異なる抵抗ブランチを用いることによって変化される。
2019501495.tif 000002
【特許請求の範囲】
【請求項１】
バックライト回路であって、当該バックライト回路は、バックライト電源チップと、アジャスタブル抵抗回路とを有し、
前記バックライト電源チップは、基準電流を設定するように構成された設定ピンと、入力ピンと、出力ピンとを有し、
前記アジャスタブル抵抗回路の一端が前記設定ピンに接続され、前記アジャスタブル抵抗回路の他端が接地され、前記アジャスタブル抵抗回路は、第１の抵抗ブランチと、第２の抵抗ブランチとを有し、該第１の抵抗ブランチ及び該第２の抵抗ブランチは、異なる基準電流を生成するために使用される異なる抵抗値を有し、
前記アジャスタブル抵抗回路は制御端を有し、該制御端は、切り換え信号を受け取るとともに、該切り換え信号に従って、前記設定ピンに接続される抵抗ブランチを、前記第１の抵抗ブランチと前記第２の抵抗ブランチとの間で切り換えるように構成され、且つ
前記バックライト電源チップは、前記基準電流に基づいて、且つ前記入力ピンによって受け取られるパルス幅変調（ＰＷＭ）信号のデューティサイクルに従って、駆動電流を生成するとともに、前記出力ピンを用いることによって前記駆動電流を出力するように構成され、前記駆動電流は、バックライト源を駆動してバックライトを送出するために使用される、
バックライト回路。
【請求項２】
前記アジャスタブル抵抗回路は、セレクタスイッチと、少なくとも２つの抵抗ブランチとを有し、該少なくとも２つの抵抗ブランチのうちのいずれか１つが前記第１の抵抗ブランチであり、該少なくとも２つの抵抗ブランチのうちの他のものが前記第２の抵抗ブランチであり、
前記セレクタスイッチは、前記制御端と、選択端とを有し、且つ
前記選択端は、前記制御端によって受け取られる前記切り換え信号に従って、前記設定ピンに接続される抵抗ブランチを、前記第１の抵抗ブランチと前記第２の抵抗ブランチとの間で切り換えるように構成される、
請求項１に記載のバックライト回路。
【請求項３】
前記アジャスタブル抵抗回路は、直列に接続された第１の抵抗及び第２の抵抗を有し、
前記第１の抵抗及び前記第２の抵抗が前記第１の抵抗ブランチを形成し、前記第２の抵抗が前記第２の抵抗ブランチを形成し、又は
前記第１の抵抗及び前記第２の抵抗が前記第２の抵抗ブランチを形成し、前記第２の抵抗が前記第１の抵抗ブランチを形成する、
請求項２に記載のバックライト回路。
【請求項４】
前記アジャスタブル抵抗回路は、並列に接続された第３の抵抗及び第４の抵抗を有し、
前記第３の抵抗が前記第１の抵抗ブランチを形成し、且つ
前記第４の抵抗が前記第２の抵抗ブランチを形成する、
請求項２に記載のバックライト回路。
【請求項５】
前記第１の抵抗ブランチの抵抗値Ｒ１及び前記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、前記最小デューティサイクル１は、前記設定ピンが前記第１の抵抗ブランチに接続されるときの最小デューティサイクルであり、前記最大デューティサイクル１は、前記設定ピンが前記第１の抵抗ブランチに接続されるときの最大デューティサイクルであり、前記最小デューティサイクル２は、前記設定ピンが前記第２の抵抗ブランチに接続されるときの最小デューティサイクルであり、前記最大デューティサイクル２は、前記設定ピンが前記第２の抵抗ブランチに接続されるときの最大デューティサイクルである、
請求項１乃至４のいずれか一項に記載のバックライト回路。
【請求項６】
前記切り換え信号は、期待輝度値に対応する抵抗ブランチが、前記設定ピンに接続されている前記抵抗ブランチとは異なる場合に、バックライトコントローラによって送られ、且つ、
前記期待輝度値は、前記バックライト源によって放出される期待バックライト輝度を指し示すために使用される、
請求項１乃至４のいずれか一項に記載のバックライト回路。
【請求項７】
電子機器であって、当該電子機器は、バックライトコントローラと、メモリと、請求項１乃至６のいずれか一項に記載の前記バックライト回路及び前記バックライト源とを有し、前記メモリは、前記バックライトコントローラに接続され、前記メモリは、前記バックライトコントローラの実行可能プログラムを格納し、
前記バックライトコントローラは、前記バックライト回路内の前記バックライト電源チップの前記入力ピンに接続されるとともに、前記パルス幅変調（ＰＷＭ）信号を前記バックライト電源チップに送るように構成され、前記バックライトコントローラは更に、前記バックライト回路内の前記アジャスタブル抵抗回路の前記制御端に接続されるとともに、前記切り換え信号を前記アジャスタブル抵抗回路に送るように構成され、且つ
前記バックライト回路内の前記バックライト電源チップの前記出力ピンは、前記バックライト源に接続され、前記バックライト源は、前記駆動電流に従ってバックライトを放出するように構成される、
電子機器。
【請求項８】
前記バックライトコントローラは、中央演算処理ユニット（ＣＰＵ）、グラフィックス処理ユニット（ＧＰＵ）、又は液晶ディスプレイドライバ集積回路（Ｄｒｉｖｅ  ＩＣ）である、請求項７に記載の電子機器。
【請求項９】
前記バックライトコントローラは、
期待輝度値を取得し、該期待輝度値は、前記バックライト源によって放出される期待バックライト輝度を指し示すために使用され、
前記期待輝度値に対応する抵抗ブランチを決定し、該抵抗ブランチは、前記第１の抵抗ブランチ又は前記第２の抵抗ブランチのいずれかであり、且つ
前記期待輝度値に対応する前記抵抗ブランチが、前記設定ピンに接続されている抵抗ブランチとは異なる場合に、前記切り換え信号を前記アジャスタブル抵抗回路の前記制御端に送る
ように構成され、且つ
前記バックライトコントローラは更に、前記ＰＷＭ信号を前記バックライト電源チップに送るように構成され、前記ＰＷＭ信号のデューティサイクルは前記期待輝度値に対応する、
請求項７に記載の電子機器。
【請求項１０】
前記バックライトコントローラは更に、前記切り換え信号を前記アジャスタブル抵抗回路の前記制御端に送る前に、前記設定ピンに接続されている前記抵抗ブランチが前記第１の抵抗ブランチであり且つ前記第１の抵抗ブランチの抵抗値が前記第２の抵抗ブランチの抵抗値よりも大きい場合に、現在出力されているＰＷＭ信号のデューティサイクルを最大デューティサイクル１まで徐々に増大させるように構成され、前記最大デューティサイクル１は、前記設定ピンが前記第１の抵抗ブランチに接続されるときの最大デューティサイクルであり、又は
前記バックライトコントローラは更に、前記切り換え信号を前記アジャスタブル抵抗回路の前記制御端に送る前に、前記設定ピンに接続されている前記抵抗ブランチが前記第１の抵抗ブランチであり且つ前記第１の抵抗ブランチの抵抗値が前記第２の抵抗ブランチの抵抗値よりも小さい場合に、現在出力されているＰＷＭ信号のデューティサイクルを最小デューティサイクル１まで徐々に低減させるように構成され、前記最小デューティサイクル１は、前記設定ピンが前記第１の抵抗ブランチに接続されるときの最小デューティサイクルであり、又は
前記バックライトコントローラは更に、前記切り換え信号を前記アジャスタブル抵抗回路の前記制御端に送る前に、前記設定ピンに接続されている前記抵抗ブランチが前記第２の抵抗ブランチであり且つ前記第１の抵抗ブランチの抵抗値が前記第２の抵抗ブランチの抵抗値よりも大きい場合に、現在出力されているＰＷＭ信号のデューティサイクルを最小デューティサイクル２まで徐々に低減させるように構成され、前記最小デューティサイクル２は、前記設定ピンが前記第２の抵抗ブランチに接続されるときの最小デューティサイクルであり、又は
前記バックライトコントローラは更に、前記切り換え信号を前記アジャスタブル抵抗回路の前記制御端に送る前に、前記設定ピンに接続されている前記抵抗ブランチが前記第２の抵抗ブランチであり且つ前記第１の抵抗ブランチの抵抗値が前記第２の抵抗ブランチの抵抗値よりも小さい場合に、現在出力されているＰＷＭ信号のデューティサイクルを最大デューティサイクル２まで徐々に増大させるように構成され、前記最大デューティサイクル２は、前記設定ピンが前記第２の抵抗ブランチに接続されるときの最大デューティサイクルである、
請求項９に記載の電子機器。
【請求項１１】
前記バックライトコントローラは更に、前記期待輝度値に対応する前記デューティサイクルをクエリーし、且つ、切り換え後に前記設定ピンに接続される抵抗ブランチが前記第２の抵抗ブランチであり且つ前記第１の抵抗ブランチの抵抗値が前記第２の抵抗ブランチの抵抗値よりも大きい場合に、現在出力されているＰＷＭ信号のデューティサイクルを最小デューティサイクル２から前記デューティサイクルまで徐々に増大させるように構成され、前記最小デューティサイクル２は、前記設定ピンが前記第２の抵抗ブランチに接続されるときの最小デューティサイクルであり、又は
前記バックライトコントローラは更に、前記期待輝度値に対応する前記デューティサイクルをクエリーし、且つ、切り換え後に前記設定ピンに接続される抵抗ブランチが前記第２の抵抗ブランチであり且つ前記第１の抵抗ブランチの抵抗値が前記第２の抵抗ブランチの抵抗値よりも小さい場合に、現在出力されているＰＷＭ信号のデューティサイクルを最大デューティサイクル２から前記デューティサイクルまで徐々に低減させるように構成され、前記最大デューティサイクル２は、前記設定ピンが前記第２の抵抗ブランチに接続されるときの最大デューティサイクルであり、又は
前記バックライトコントローラは更に、前記期待輝度値に対応する前記デューティサイクルをクエリーし、且つ、切り換え後に前記設定ピンに接続される抵抗ブランチが前記第１の抵抗ブランチであり且つ前記第１の抵抗ブランチの抵抗値が前記第２の抵抗ブランチの抵抗値よりも大きい場合に、現在出力されているＰＷＭ信号のデューティサイクルを最大デューティサイクル１から前記デューティサイクルまで徐々に低減させるように構成され、前記最大デューティサイクル１は、前記設定ピンが前記第１の抵抗ブランチに接続されるときの最大デューティサイクルであり、又は
前記バックライトコントローラは更に、前記期待輝度値に対応する前記デューティサイクルをクエリーし、且つ、切り換え後に前記設定ピンに接続される抵抗ブランチが前記第１の抵抗ブランチであり且つ前記第１の抵抗ブランチの抵抗値が前記第２の抵抗ブランチの抵抗値よりも小さい場合に、現在出力されているＰＷＭ信号のデューティサイクルを最小デューティサイクル１から前記デューティサイクルまで徐々に増大させるように構成され、前記最小デューティサイクル１は、前記設定ピンが前記第１の抵抗ブランチに接続されるときの最小デューティサイクルである、
請求項９に記載の電子機器。
【請求項１２】
前記第１の抵抗ブランチの抵抗値Ｒ１及び前記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、前記最小デューティサイクル１は、前記設定ピンが前記第１の抵抗ブランチに接続されるときの最小デューティサイクルであり、前記最大デューティサイクル１は、前記設定ピンが前記第１の抵抗ブランチに接続されるときの最大デューティサイクルであり、前記最小デューティサイクル２は、前記設定ピンが前記第２の抵抗ブランチに接続されるときの最小デューティサイクルであり、前記最大デューティサイクル２は、前記設定ピンが前記第２の抵抗ブランチに接続されるときの最大デューティサイクルである、
請求項７乃至１１のいずれか一項に記載の電子機器。
【請求項１３】
請求項７又は８に記載の電子機器の前記バックライトコントローラに適用されるバックライト調節方法であって、
期待輝度値を取得し、該期待輝度値は、前記バックライト源によって放出される期待バックライト輝度を指し示すために使用され、
前記期待輝度値に対応する抵抗ブランチを決定し、該抵抗ブランチは、前記第１の抵抗ブランチ又は前記第２の抵抗ブランチのいずれかであり、
前記期待輝度値に対応する前記抵抗ブランチが、前記設定ピンに接続されている抵抗ブランチとは異なる場合に、切り換え信号を前記アジャスタブル抵抗回路の制御端に送り、且つ
前記ＰＷＭ信号を前記バックライト電源チップに送り、前記ＰＷＭ信号のデューティサイクルは前記期待輝度値に対応し、前記バックライト電源チップは、前記基準電流に基づいて、且つ前記ＰＷＭ信号の前記デューティサイクルに従って、駆動電流を生成するとともに、該駆動電流を前記バックライト源に送るように構成され、前記バックライト源は前記駆動電流に従ってバックライトを放出するように構成される、
ことを有する方法。
【発明の詳細な説明】
【技術分野】
【０００１】
本発明の実施形態は、液晶ディスプレイの分野に関し、特に、バックライト回路、電子機器、及びバックライト調節方法に関する。
【背景技術】
【０００２】
例えばスマートフォン及びタブレットコンピュータなどの電子機器は、表示コンポーネントとして液晶ディスプレイ（Ｌｉｑｕｉｄ  Ｃｒｙｓｔａｌ  Ｄｉｓｐｌａｙ、略してＬＣＤ）を用いている。
【０００３】
ＬＣＤは、バックライト回路によって提供されるバックライトを用いるだけで通常の表示を行うことができる。バックライト回路は、バックライトコントローラによって制御される。バックライト回路は、バックライト電源チップと、該バックライト電源チップに接続されたバックライト発光ダイオード（Ｌｉｇｈｔ  Ｅｍｉｔｔｉｎｇ  Ｄｉｏｄｅ、略してＬＥＤ）とを含む。動作過程において、バックライト電源チップは、バックライトコントローラによって送られるパルス幅変調（Ｐｕｌｓｅ−Ｗｉｄｔｈ  Ｍｏｄｕｌａｔｉｏｎ、略してＰＷＭ）信号を受け取る。バックライト電源チップは、パルス幅変調信号に従ってバックライトＬＥＤに駆動電流を出力する。バックライトＬＥＤは、駆動電流に従ってバックライトを放出する。駆動電流の大きさとバックライト強度とは正の相関関係にあり、すなわち、より大きい駆動電流はより高いバックライト強度を示し、より小さい駆動電流はより低いバックライト強度を示す。
【０００４】
バックライト電源チップのハードウェア性能によって制限されて、バックライト電源チップによって出力される駆動電流の大きさは、限られた範囲内に収まってしまう。結果として、バックライトＬＥＤによって出力されるバックライト輝度も、限られた輝度範囲内に収まってしまう。換言すれば、バックライトＬＥＤによって出力される最低輝度又は最高輝度は、設計において開発者の期待する理想的な輝度ではなく、バックライトＬＥＤによって実際に出力されることができる限られた輝度である。
【発明の概要】
【０００５】
バックライト電源チップの限られたハードウェア性能に起因して、バックライト電源チップは、限られた電流値調節範囲内でしか駆動電流を出力することができないので、バックライトＬＥＤによって出力される輝度が限られた輝度範囲内に収まってしまうという問題、を解決するために、本発明の実施形態は、バックライト回路、電子機器、及びバックライト調節方法を提供する。技術的ソリューションは以下のとおりである。
【０００６】
第１の態様によれば、本発明の一実施形態はバックライト回路を提供し、当該バックライト回路は、バックライト電源チップと、アジャスタブル抵抗回路とを含み、上記バックライト電源チップは、基準電流を設定するように構成された設定ピンと、入力ピンと、出力ピンとを含み、上記アジャスタブル抵抗回路の一端が上記設定ピンに接続され、上記アジャスタブル抵抗回路の他端が接地され、上記アジャスタブル抵抗回路は、第１の抵抗ブランチと、第２の抵抗ブランチとを含み、該第１の抵抗ブランチ及び該第２の抵抗ブランチは、異なる基準電流を生成するために使用される異なる抵抗値を有し、上記アジャスタブル抵抗回路は制御端を有し、該制御端は、切り換え信号を受け取るとともに、該切り換え信号に従って、上記設定ピンに接続される抵抗ブランチを、上記第１の抵抗ブランチと上記第２の抵抗ブランチとの間で切り換えるように構成され、且つ上記バックライト電源チップは、上記基準電流に基づいて、且つ上記入力ピンによって受け取られるＰＷＭ信号のデューティサイクルに従って、駆動電流を生成するとともに、上記出力ピンを用いることによって上記駆動電流を出力するように構成され、上記駆動電流は、バックライト源を駆動してバックライトを送出するために使用される。
【０００７】
第１の態様にて提供されるバックライト回路においては、バックライト電源チップの設定ピンが、アジャスタブル抵抗回路に接続され、該アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０００８】
上記第１の態様の第１の取り得る実装において、上記アジャスタブル抵抗回路は、セレクタスイッチと、少なくとも２つの抵抗ブランチとを含み、該少なくとも２つの抵抗ブランチのうちのいずれか１つが上記第１の抵抗ブランチであり、該少なくとも２つの抵抗ブランチのうちの他のものが上記第２の抵抗ブランチであり、上記セレクタスイッチは、上記制御端と、選択端とを含み、且つ上記選択端は、上記制御端によって受け取られる上記切り換え信号に従って、上記設定ピンに接続される抵抗ブランチを、上記第１の抵抗ブランチと上記第２の抵抗ブランチとの間で切り換えるように構成される。この実装では、セレクタスイッチ及び少なくとも２つの抵抗ブランチがアジャスタブル抵抗回路内に配置され、３つの抵抗ブランチ、４つの抵抗ブランチ、又は更に多くの抵抗ブランチがアジャスタブル抵抗回路内に実装されることで、駆動電流に関するいっそう大きい電流値調節範囲を実現する。
【０００９】
上記第１の態様の上記第１の取り得る実装を参照するに、第２の取り得る実装において、上記アジャスタブル抵抗回路は、直列に接続された第１の抵抗及び第２の抵抗を含み、上記第１の抵抗及び上記第２の抵抗が上記第１の抵抗ブランチを形成し、上記第２の抵抗が上記第２の抵抗ブランチを形成し、又は上記第１の抵抗及び上記第２の抵抗が上記第２の抵抗ブランチを形成し、上記第２の抵抗が上記第１の抵抗ブランチを形成する。この実装では、回路が、単純な形態を持つとともに、回路基板上で容易に設計されて製造されるように、直列抵抗を用いることによって、アジャスタブル抵抗回路内の抵抗ブランチが実装される。
【００１０】
上記第１の態様の上記第１の取り得る実装を参照するに、第３の取り得る実装において、上記アジャスタブル抵抗回路は、並列に接続された第３の抵抗及び第４の抵抗を含み、上記第３の抵抗が上記第１の抵抗ブランチを形成し、且つ上記第４の抵抗が上記第２の抵抗ブランチを形成する。この実装では、回路が、単純な形態を持つとともに、回路基板上で容易に設計されて製造されるように、並列抵抗を用いることによって、アジャスタブル抵抗回路内の抵抗ブランチが実装される。
【００１１】
上記第１の態様、又は上記第１の態様の上記第１の取り得る実装、又は上記第１の態様の上記第２の取り得る実装、又は上記第１の態様の上記第３の取り得る実装を参照するに、第５の取り得る実装において、上記切り換え信号は、期待輝度値に対応する抵抗ブランチが、上記設定ピンに接続されている上記抵抗ブランチとは異なる場合に、バックライトコントローラによって送られ、且つ、上記期待輝度値は、上記バックライト源によって放出される期待バックライト輝度を指し示すために使用される。
【００１２】
第２の態様によれば、本発明の一実施形態は電子機器を提供し、当該電子機器は、バックライトコントローラと、メモリと、上記第１の態様、又は上記第１の態様のいずれかの取り得る実装にて提供される上記バックライト回路及び上記バックライト源とを含み、上記メモリは、上記バックライトコントローラに接続され、上記メモリは、上記バックライトコントローラの実行可能プログラムを格納し、
【００１３】
上記バックライトコントローラは、上記バックライト回路の上記入力ピンに接続されるとともに、上記ＰＷＭ信号を上記バックライト電源チップに送るように構成され、上記バックライトコントローラは、上記バックライト回路内の上記制御端に接続されるとともに、上記切り換え信号を上記アジャスタブル抵抗回路に送るように構成され、且つ
【００１４】
上記バックライト回路内の上記バックライト電源チップの上記出力ピンは、上記バックライト源に接続され、上記バックライト源は、上記駆動電流に従ってバックライトを放出するように構成される。
【００１５】
上記第２の態様の第１の取り得る実装において、上記バックライトコントローラは中央演算処理ユニット（Ｃｅｎｔｒａｌ  Ｐｒｏｃｅｓｓｉｎｇ  Ｕｎｉｔ、略してＣＰＵ）であり、又は上記バックライトコントローラ２２０はグラフィックス処理ユニット（Ｇｒａｐｈｉｃｓ  Ｐｒｏｃｅｓｓｉｎｇ  Ｕｎｉｔ、略してＧＰＵ）であり、又は上記バックライトコントローラ２２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）である。
【００１６】
上記第２の態様の第２の取り得る実装において、上記バックライトコントローラは、上記メモリ内の命令を実行するように構成され、上記バックライトコントローラは、上記命令を実行することによって、以下の第３の態様、又は第３の態様のいずれかの取り得る実装にて提供されるバックライト調節方法を遂行する。
【００１７】
第３の態様によれば、本発明の一実施形態は、第２の態様に従った電子機器の上記バックライトコントローラに適用されるバックライト調節方法を提供し、当該方法は、上記バックライトコントローラにより期待輝度値を取得し、該期待輝度値は、上記バックライト源によって放出される期待バックライト輝度を指し示すために使用され、上記バックライトコントローラにより、上記期待輝度値に対応する抵抗ブランチを決定し、該抵抗ブランチは、上記第１の抵抗ブランチ又は上記第２の抵抗ブランチのいずれかであり、上記期待輝度値に対応する上記抵抗ブランチが、上記設定ピンに接続されている抵抗ブランチとは異なる場合に、上記バックライトコントローラにより、切り換え信号を上記アジャスタブル抵抗回路の制御端に送り、且つ、上記バックライトコントローラにより、ＰＷＭ信号を上記バックライト電源チップに送り、上記ＰＷＭ信号のデューティサイクルは上記期待輝度値に対応し、上記バックライト電源チップは、上記基準電流に基づいて、且つ上記ＰＷＭ信号の上記デューティサイクルに従って、駆動電流を生成するとともに、該駆動電流を上記バックライト源に送るように構成され、上記バックライト源は上記駆動電流に従ってバックライトを放出するように構成される、ことを含む。
【００１８】
第３の態様にて提供されるバックライト調節方法によれば、バックライトコントローラが、期待輝度値を取得し、該期待輝度値に対応する抵抗ブランチが、設定ピンに接続されている抵抗ブランチとは異なるときに、切り換え信号をアジャスタブル抵抗回路の制御端に送る。アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【００１９】
上記第３の態様の第１の取り得る実装において、上記切り換え信号を上記アジャスタブル抵抗回路の上記制御端に送る前に、当該方法は更に、上記設定ピンに接続されている上記抵抗ブランチが上記第１の抵抗ブランチであり且つ上記第１の抵抗ブランチの抵抗値が上記第２の抵抗ブランチの抵抗値よりも大きい場合に、現在出力されているＰＷＭ信号のデューティサイクルを最大デューティサイクル１まで徐々に増大させることを含み、上記最大デューティサイクル１は、上記設定ピンが上記第１の抵抗ブランチに接続されるときの最大デューティサイクルであり、又は、上記設定ピンに接続されている上記抵抗ブランチが上記第１の抵抗ブランチであり且つ上記第１の抵抗ブランチの抵抗値が上記第２の抵抗ブランチの抵抗値よりも小さい場合に、現在出力されているＰＷＭ信号のデューティサイクルを最小デューティサイクル１まで徐々に低減させることを含み、上記最小デューティサイクル１は、上記設定ピンが上記第１の抵抗ブランチに接続されるときの最小デューティサイクルであり、又は、上記設定ピンに接続されている上記抵抗ブランチが上記第２の抵抗ブランチであり且つ上記第１の抵抗ブランチの抵抗値が上記第２の抵抗ブランチの抵抗値よりも大きい場合に、現在出力されているＰＷＭ信号のデューティサイクルを最小デューティサイクル２まで徐々に低減させることを含み、上記最小デューティサイクル２は、上記設定ピンが上記第２の抵抗ブランチに接続されるときの最小デューティサイクルであり、又は、上記設定ピンに接続されている上記抵抗ブランチが上記第２の抵抗ブランチであり且つ上記第１の抵抗ブランチの抵抗値が上記第２の抵抗ブランチの抵抗値よりも小さい場合に、現在出力されているＰＷＭ信号のデューティサイクルを最大デューティサイクル２まで徐々に増大させることを含み、上記最大デューティサイクル２は、上記設定ピンが上記第２の抵抗ブランチに接続されるときの最大デューティサイクルである。この実装では、切り換え信号が送られる前にＰＷＭ信号が徐々に変化し、バックライト輝度が急には変化されず、それにより、バックライト輝度のちらつきが回避される。
【００２０】
上記第３の態様の第２の取り得る実装において、上記ＰＷＭ信号を上記バックライト電源チップに送ることは、上記ＰＷＭ信号のデューティサイクルが上記期待輝度値に対応するとして、上記期待輝度値に対応する上記デューティサイクルをクエリーし、そして、切り換え後に上記設定ピンに接続される抵抗ブランチが上記第２の抵抗ブランチであり且つ上記第１の抵抗ブランチの抵抗値が上記第２の抵抗ブランチの抵抗値よりも大きい場合に、現在出力されているＰＷＭ信号のデューティサイクルを最小デューティサイクル２から上記デューティサイクルまで徐々に増大させ、上記最小デューティサイクル２は、上記設定ピンが上記第２の抵抗ブランチに接続されるときの最小デューティサイクルであり、又は、切り換え後に上記設定ピンに接続される抵抗ブランチが上記第２の抵抗ブランチであり且つ上記第１の抵抗ブランチの抵抗値が上記第２の抵抗ブランチの抵抗値よりも小さい場合に、現在出力されているＰＷＭ信号のデューティサイクルを最大デューティサイクル２から上記デューティサイクルまで徐々に低減させ、上記最大デューティサイクル２は、上記設定ピンが上記第２の抵抗ブランチに接続されるときの最大デューティサイクルであり、又は、切り換え後に上記設定ピンに接続される抵抗ブランチが上記第１の抵抗ブランチであり且つ上記第１の抵抗ブランチの抵抗値が上記第２の抵抗ブランチの抵抗値よりも大きい場合に、現在出力されているＰＷＭ信号のデューティサイクルを最大デューティサイクル１から上記デューティサイクルまで徐々に低減させ、上記最大デューティサイクル１は、上記設定ピンが上記第１の抵抗ブランチに接続されるときの最大デューティサイクルであり、又は、切り換え後に上記設定ピンに接続される抵抗ブランチが上記第１の抵抗ブランチであり且つ上記第１の抵抗ブランチの抵抗値が上記第２の抵抗ブランチの抵抗値よりも小さい場合に、現在出力されているＰＷＭ信号のデューティサイクルを最小デューティサイクル１から上記デューティサイクルまで徐々に増大させ、上記最小デューティサイクル１は、上記設定ピンが上記第１の抵抗ブランチに接続されるときの最小デューティサイクルである、ことを含む。この実装では、切り換え信号が送られた後にＰＷＭ信号が徐々に変化し、バックライト輝度が急には変化されず、それにより、バックライト輝度のちらつきが回避される。
【００２１】
以上の全ての態様、又は全ての態様の全ての取り得る実装を参照するに、取り得る一実装において、上記第１の抵抗ブランチの抵抗値Ｒ１及び上記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、上記最小デューティサイクル１は、上記設定ピンが上記第１の抵抗ブランチに接続されるときの最小デューティサイクルであり、上記最大デューティサイクル１は、上記設定ピンが上記第１の抵抗ブランチに接続されるときの最大デューティサイクルであり、上記最小デューティサイクル２は、上記設定ピンが上記第２の抵抗ブランチに接続されるときの最小デューティサイクルであり、上記最大デューティサイクル２は、上記設定ピンが上記第２の抵抗ブランチに接続されるときの最大デューティサイクルである。この実装では、いっそう大きい変化範囲を持つ電流値調節範囲を実装するように、第１の抵抗ブランチに対応する電流値調節範囲と第２の抵抗ブランチに対応する電流値調節範囲とを、連続した電流値調節範囲へと組み合わせることができるよう、Ｒ１＝Ｒ２×最大デューティサイクル２／最小デューティサイクル１、又はＲ１＝Ｒ２×最小デューティサイクル１／最大デューティサイクル２と仮定される。このいっそう大きい変化範囲を持つ電流値調節範囲によれば、第１の抵抗ブランチと第２の抵抗ブランチとの間で切り換えが行われるときにちらつきが存在しない。
【図面の簡単な説明】
【００２２】
本発明の実施形態における技術的ソリューションをいっそう明瞭に説明するため、以下、実施形態を説明するのに必要な添付図面を簡単に説明する。明らかなように、以下の説明において添付図面は単に本発明の一部の実施形態を示すに過ぎず、当業者はなおも、創作努力なしで、添付図面からその他の図を導き出し得る。
【図１】既存の電子機器の概略構成図である。
【図２】本発明の一実施形態に従った電子機器の概略構成図である。
【図３Ａ】本発明の一実施形態に従ったアジャスタブル抵抗回路の概略構成図である。
【図３Ｂ】本発明の他の一実施形態に従ったアジャスタブル抵抗回路の概略構成図である。
【図３Ｃ】本発明の他の一実施形態に従ったアジャスタブル抵抗回路の概略構成図である。
【図４】本発明の一実施形態に従った電子機器の概略構成図である。
【図５】図４に示した電子機器がバックライト調節を実行するときの概略原理図である。
【図６】本発明の一実施形態に従ったバックライト調節方法のフローチャートである。
【図７Ａ】本発明の一実施形態に従ったバックライト調節方法のフローチャートである。
【図７Ｂ】本発明の一実施形態に従ったバックライト調節方法のフローチャートである。
【図７Ｃ】本発明の一実施形態に従ったバックライト調節方法のフローチャートである。
【図７Ｄ】本発明の一実施形態に従ったバックライト調節方法のフローチャートである。
【発明を実施するための形態】
【００２３】
本発明の目的、技術的ソリューション、及び利点をいっそう明瞭にするため、以下、添付図面を参照して、本発明の実施形態を詳細に説明する。
【００２４】
図１を参照するに、図１は、既存の電子機器１００の概略構成図を示している。電子機器１００は、バックライトコントローラ１２０、メモリ１４０、バックライト電源チップ１６０、及びバックライト源１８０を含んでいる。
【００２５】
バックライトコントローラ１２０は中央演算処理ユニット（Ｃｅｎｔｒａｌ  Ｐｒｏｃｅｓｓｉｎｇ  Ｕｎｉｔ、略してＣＰＵ）であってもよいし、あるいはバックライトコントローラ１２０はグラフィックス処理ユニット（Ｇｒａｐｈｉｃｓ  Ｐｒｏｃｅｓｓｉｎｇ  Ｕｎｉｔ、略してＧＰＵ）であってもよいし、あるいはバックライトコントローラ１２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）であってもよい。
【００２６】
メモリ１４０は、バックライトコントローラ１２０の実行可能命令を格納する。メモリ１４０は、例えば、スタティックランダムアクセスメモリ（Ｓｔａｔｉｃ  Ｒａｎｄｏｍ  Ａｃｃｅｓｓ  Ｍｅｍｏｒｙ、略してＳＲＡＭ）、電気的消去可能・プログラム可能読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能・プログラム可能読み出し専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能読み出し専用メモリ（Ｐｒｏｇｒａｍｍａｂｌｅ  Ｒｅａｄ−Ｏｎｌｙ  Ｍｅｍｏｒｙ、略してＰＲＯＭ）、読み出し専用メモリ（Ｒｅａｄ  Ｏｎｌｙ  Ｍｅｍｏｒｙ、略してＲＯＭ）、磁気メモリ、フラッシュメモリ、磁気ディスク、又は光ディスクなど、如何なるタイプの又は組み合わせの揮発性記憶デバイス及び不揮発性記憶デバイスによって実装されてもよい。
【００２７】
バックライト電源チップ１６０は、ＰＷＭ信号に基づいて駆動電流を出力する集積回路チップである。バックライト電源チップ１６０は、入力ピンＩＮ、設定ピンＩＳＥＴ、及び出力ピンＯＵＴを含んでいる。バックライト電源チップ１６０の内部が基準電流源回路１６２を含んでいる。
【００２８】
入力ピンＩＮは、バックライトコントローラ１２０に接続されている。
【００２９】
設定ピンＩＳＥＴは、バックライト電源チップ１６０の内部の基準電流源回路１６２に接続されている。設定ピンＩＳＥＴは更に、バックライト電源チップ１６０の外部の抵抗ＲＩＳＥＴの一端に接続され、抵抗ＲＩＳＥＴの他端は接地されている。
【００３０】
基準電流源回路１６２は、基準電流ＩＦＢ＿ｆｕｌｌを提供するように構成されており、基準電流を計算するための公式は以下のとおりである：
ＩＦＢ＿ｆｕｌｌ＝ＶＩＳＥＴ＿ｆｕｌｌ／ＲＩＳＥＴ×ＫＩＳＥＴ＿ｆｕｌｌ      公式１
【００３１】
ＶＩＳＥＴ＿ｆｕｌｌは、その電圧値が固定されて不変である基準電圧である。ＫＩＳＥＴ＿ｆｕｌｌは固定パラメータであり、ＫＩＳＥＴ＿ｆｕｌｌは基準電流源回路１６２内の電子素子の電気的性能によって決定される。明らかなように、ＶＩＳＥＴ＿ｆｕｌｌ、ＲＩＳＥＴ、ＫＩＳＥＴ＿ｆｕｌｌの３つのパラメータは全て固定値であるため、基準電流源回路１６２によって提供される基準電流の電流値も固定値である。
【００３２】
また、バックライト電源チップ１６０の一方のピンは電源ＶＢＡＴに接続され、他方のピンは接地されている。
【００３３】
バックライト源１８０は、一般にバックライトＬＥＤである。バックライト源１８０の一端は電源ＶＢＡＴに接続され、他端はバックライト電源チップ１６０の入力ピンＯＵＴに接続される。
【００３４】
動作において、バックライトコントローラ１４０は、所定のバックライト制御ポリシーに従って期待輝度値を生成する。期待輝度値は、バックライトコントローラ１２０によって期待されるバックライト源１８０によって放出されるバックライト輝度である。例えば、所定のバックライト制御ポリシーは、周辺光の輝度が暗くなるとき、期待輝度値が低下され、そして、周辺光の輝度が明るくなるとき、期待輝度値が上昇されるというものである。
【００３５】
期待輝度値は、一般に９ビット又は１１ビットの２進数で表され、バックライトレジスタＲｅｇ＿Ｉｓｅｔに格納される。この実施形態では、９ビットによる表現が一例として用いられる。期待輝度値は０００００００００、すなわち、１０進表記で０であり、又は期待輝度値は１１１１１１１１１、すなわち、１０進表記で５１１である。なお、期待輝度値は、輝度レベル又は輝度タップ位置の単なる表し方であり、実際の物理量における輝度値とは等しくない。
【００３６】
バックライトコントローラ１４０は、予め格納された“期待輝度値−デューティサイクル”対応テーブルから、期待輝度値に対応するデューティサイクルをクエリーする。“期待輝度値−デューティサイクル”対応テーブルは、メモリ１４０に格納されている。表１は、一例としての“期待輝度値−デューティサイクル”対応テーブルを示している。読み取り及び理解の容易さのために、以下の説明では、全ての期待輝度値が１０進表記で表される。
【００３７】
【表１】
2019501495.tif 000003
【００３８】
明らかなように、期待輝度値の値域は［０，５１１］であり、デューティサイクルの値域は［１％、１００％］であるため、２つの隣り合う期待輝度値間のデューティサイクルの調節ステップ幅はおよそ０．１９％である。バックライトコントローラ１４０は、そのデューティサイクルを満足するＰＷＭ信号をバックライト電源チップ１６０の入力ピンに送る。例えば、期待輝度値が４であり、バックライトコントローラ１４０は、そのデューティサイクルが１．７６％であるＰＷＭ信号をバックライト電源チップ１６０の入力ピンに送る。
【００３９】
バックライト電源チップ１６０は、ＰＷＭ信号を受け取った後、ＰＷＭ信号のデューティサイクルに従って、基準電流に基づいて駆動電流を生成する。駆動電流の大きさ及びＰＷＭ信号のデューティサイクルは、正比例の関係にある。駆動電流の電流値を計算するための公式は、以下のとおりである：
ＩＦＢＸ＝ＩＦＢ＿ｆｕｌｌ×Ｄｕｔｙ      公式２
【００４０】
ＩＦＢ＿ｆｕｌｌは基準電流であり、Ｄｕｔｙはデューティサイクルである。
【００４１】
例えば、ＰＷＭ信号のデューティサイクルが１％であり、且つ基準電流が２０ｍＡである場合、駆動電流＝２０ｍＡ×１％＝０．２ｍＡである。別の一例で、ＰＷＭ信号のデューティサイクルが１００％であり、且つ基準電流が２０ｍＡである場合、駆動電流＝２０ｍＡ×１００％＝２０ｍＡである。
【００４２】
バックライト電源チップ１６０の物理的性能によって制限されて、バックライト電源チップ１６０によって受け取られることができる最小デューティサイクルは１％であり、故に、バックライト電源チップ１６０によって出力されることができる最小駆動電流は、１％×基準電流にほぼ等しく、そして、最大駆動電流は１００％×基準電流にほぼ等しく、すなわち、駆動電流の電流値調節範囲は、［１％×ＩＦＢ＿ｆｕｌｌ，１００％×ＩＦＢ＿ｆｕｌｌ］である。表１の例を参照するに、電流値調節範囲は［２ｍＡ、２０ｍＡ］である。明らかなように、電流値調節範囲は比較的限られたものである。
【００４３】
駆動電流の電流値調節範囲が比較的限られたものであるため、一部の暗い状態では、最小の駆動電流を用いてバックライト源１８０を駆動するが、バックライト源１８０によって放出されるバックライトが依然としてかなり強く、それによりユーザの眼をくらませる。同様に、一部の明るい条件では、最大の駆動電流を用いてバックライト源１８０を駆動するが、バックライト源１８０によって放出されるバックライトが依然として弱すぎて、液晶ディスプレイ上に表示されるコンテンツをはっきりと見ることができない。
【００４４】
また、電流値調節範囲内の最大調節ステップ数は５１２ステップであり、２つの隣り合うバックライト輝度値間の駆動電流の電流値の変化は、基準電流のおよそ０．１９％である。
【００４５】
上の公式２によれば、駆動電流の電流値が基準電流に関係することを学ぶことができる。本発明は、より小さい電流値を持つ駆動電流、又はより大きい電流値を持つ駆動電流を得るために、本発明の一実施形態は、より大きい電流値域を有する駆動電流が基準電流の変更に基づいて得られる技術的ソリューションを提供する。また、上の公式１を参照するに、基準電流を変更する必要がある場合に抵抗ＲＩＳＥＴの抵抗値を変更してもよいことを学ぶことができる。以上の考えに基づき、以下の実施形態が提供される。
【００４６】
図２を参照するに、図２は、本発明の一実施形態に従った電子機器２００の概略構成図を示している。電子機器２００は、バックライトコントローラ２２０、メモリ２４０、バックライト電源チップ２６０、アジャスタブル抵抗回路２７０、及びバックライト源２８０を含んでいる。
【００４７】
バックライトコントローラ２２０は中央演算処理ユニット（Ｃｅｎｔｒａｌ  Ｐｒｏｃｅｓｓｉｎｇ  Ｕｎｉｔ、略してＣＰＵ）であってもよいし、あるいはバックライトコントローラ２２０はグラフィックス処理ユニット（Ｇｒａｐｈｉｃｓ  Ｐｒｏｃｅｓｓｉｎｇ  Ｕｎｉｔ、略してＧＰＵ）であってもよいし、あるいはバックライトコントローラ２２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）であってもよい。
【００４８】
メモリ２４０は、バックライトコントローラ２２０の実行可能命令を格納する。メモリ２４０は、例えば、スタティックランダムアクセスメモリ（Ｓｔａｔｉｃ  Ｒａｎｄｏｍ  Ａｃｃｅｓｓ  Ｍｅｍｏｒｙ、略してＳＲＡＭ）、電気的消去可能・プログラム可能読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能・プログラム可能読み出し専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能読み出し専用メモリ（Ｐｒｏｇｒａｍｍａｂｌｅ  Ｒｅａｄ−Ｏｎｌｙ  Ｍｅｍｏｒｙ、略してＰＲＯＭ）、読み出し専用メモリ（Ｒｅａｄ  Ｏｎｌｙ  Ｍｅｍｏｒｙ、略してＲＯＭ）、磁気メモリ、フラッシュメモリ、磁気ディスク、又は光ディスクなど、如何なるタイプの又は組み合わせの揮発性記憶デバイス及び不揮発性記憶デバイスによって実装されてもよい。
【００４９】
バックライト電源チップ２６０は、入力ピンＩＮ、基準電流を設定するように構成された設定ピンＩＳＥＴ、及び出力ピンＯＵＴを含んでいる。バックライト電源チップ２６０の内部が更に基準電流源回路２６２を含んでいる。
【００５０】
入力ピンＩＮは、バックライトコントローラ２２０に接続されている。動作において、バックライトコントローラ２２０は、入力ピンＩＮにＰＷＭ信号を送るように構成される。
【００５１】
アジャスタブル抵抗回路２７０の一端は設定ピンＩＳＥＴに接続され、アジャスタブル抵抗回路２７０の他端は接地されている。アジャスタブル抵抗回路２７０は、第１の抵抗ブランチ２７２及び第２の抵抗ブランチ２７４を含んでいる。第１の抵抗ブランチ２７２の抵抗値は、第２の抵抗ブランチ２７４の抵抗値とは異なる。なお、図２は第１の抵抗ブランチ２７２及び第２の抵抗ブランチ２７４を示しているが、これは抵抗ブランチの数についての限定を構成するものではない。例えば、図３Ａは更に別の抵抗ブランチを含む複数の抵抗ブランチを示している。
【００５２】
アジャスタブル抵抗回路２７０は、制御端Ｃ１を含んでいる。制御端Ｃ１は、バックライトコントローラ２２０に接続されている。バックライトコントローラ２２０は、駆動電流の調節範囲を変更する必要がある場合に制御端Ｃ１に切り換え信号を送るように構成される。
【００５３】
制御端Ｃ１は、切り換え信号を受け取り、切り換え信号に従って、設定ピンＩＳＥＴに接続される抵抗ブランチを、第１の抵抗ブランチ２７２から第２の抵抗ブランチ２７４に切り換えるように構成される。バックライト電源チップ２６０は基準電流源回路２６２を含んでおり、基準電流源回路２６２は基準電流を提供するように構成される。設定ピンＩＳＥＴに接続される抵抗ブランチの抵抗値が変化するとき、バックライト電源チップ２６０における基準電流の電流値も変化する。基準電流の大きさ及び設定ピンＩＳＥＴに接続される抵抗ブランチの抵抗値は、反比例の関係にある。
【００５４】
バックライト電源チップ２２０の出力ピンＯＵＴは、バックライト源４６０の一端に接続されている。バックライト源４６０は、一般にバックライトＬＥＤである。オプションで、バックライト源４６０の他端は電源ＶＢＡＴに接続される。
【００５５】
オプションで、バックライト電源チップ２６０及びアジャスタブル抵抗回路２７０は、電子機器のメイン基板上に集積され得る。該メイン基板上には、一般に、バックライトコントローラ２２０、メモリ２４０、及び他の電子デバイスが配置されている。バックライト電源チップ２６０は、メイン基板に配置された集積回路チップである。バックライト電源チップ２６０は、メイン基板上の導電ラインを用いることによってアジャスタブル抵抗回路２７０に電気的に接続される。
【００５６】
オプションで、設定ピンＩＳＥＴは、異なる実施形態では、例えばフルスケール設定ピンといった異なる名称を有し得るが、それらの設定ピンは全て、基準電流を設定するように構成されたピンである。この実施形態において、設定ピンＩＳＥＴの名称について特定の限定は課されない。
【００５７】
図３Ａを参照するに、図３Ａは、一例としてのアジャスタブル抵抗回路２７０の概略構成図を示している。このアジャスタブル抵抗回路２７０は、セレクタスイッチ２７１、第１の抵抗ブランチ２７２、及び第２の抵抗ブランチ２７４を含んでいる。
【００５８】
セレクタスイッチ２７１は、制御端Ｃ１と選択端Ｃ２とを含んでいる。
【００５９】
制御端Ｃ１は、バックライトコントローラ２２０に接続するように構成される。
【００６０】
選択端Ｃ２は、制御端Ｃ１によって受け取られる切り換え信号に従って、設定ピンＩＳＥＴと、第１の抵抗ブランチ２７２又は第２の抵抗ブランチ２７２のいずれかとを接続するように構成される。
【００６１】
オプションで、明るい条件において、選択端Ｃ２は、制御端Ｃ１によって受け取られる切り換え信号に従って、設定ピンＩＳＥＴと、より小さい抵抗値を持つ抵抗ブランチとを接続し、それにより、バックライト電源チップ２２０における基準電流の電流値がいっそう大きい電流値になるようにして、同じデューティサイクルの条件でいっそう大きい駆動電流を出力し、より高いバックライト輝度を得るようにする。暗い条件において、選択端Ｃ２は、制御端Ｃ１によって受け取られる切り換え信号に従って、設定ピンＩＳＥＴと、より大きい抵抗値を持つ抵抗ブランチとを接続し、それにより、バックライト電源チップ２７０における基準電流の電流値がいっそう小さい電流値になるようにして、同じデューティサイクルの条件でいっそう小さい駆動電流を出力し、より低いバックライト輝度を得るようにする。
【００６２】
オプションで、制御端Ｃ１は、汎用入出力（Ｇｅｎｅｒａｌ  Ｐｕｒｐｏｓｅ  Ｉｎｐｕｔ  Ｏｕｔｐｕｔ、略してＧＰＩＯ）を満たす制御端Ｃ１である。
【００６３】
オプションで、アジャスタブル抵抗回路２７０内に２つの抵抗ブランチが存在する。しかしながら、実施形態要求に従って、３つ、４つ、又は更に多くの抵抗ブランチが配置されてもよい。この実施形態において、アジャスタブル抵抗回路２７０内の抵抗ブランチの数について限定は課されない。
【００６４】
オプションで、アジャスタブル抵抗回路２７０は、集積可変抵抗器を用いることによって実装される。
【００６５】
オプションで、アジャスタブル抵抗回路２７０内の抵抗ブランチは、直列回路又は並列回路を用いることによって実装される。
【００６６】
例えば、図３Ｂを参照するに、図３Ｂは、直列回路を用いることによって実装されるアジャスタブル抵抗回路２７０の概略構成図を示している。このアジャスタブル抵抗回路２７０は、セレクタスイッチ２７１と、直列に接続された第１の抵抗ＲＩＳＥＴ１及び第２の抵抗ＲＩＳＥＴ２とを含んでいる。
【００６７】
第１の抵抗ＲＩＳＥＴ１及び第２の抵抗ＲＩＳＥＴ２が第２の抵抗ブランチ２７４を形成し、第２の抵抗ＲＩＳＥＴ２が第１の抵抗ブランチ２７２を形成する。
【００６８】
第２の抵抗ＲＩＳＥＴ２の一端が設定ピンＩＳＥＴに接続され、第２の抵抗ＲＩＳＥＴ２の他端が第１の抵抗ＲＩＳＥＴ１の一端に接続され、そして、第１の抵抗ＲＩＳＥＴ１の他端が接地される。制御端Ｃ１によって受け取られる切り換え信号に従って、セレクタスイッチ２７１における選択端Ｃ２がディスエーブルされるとき、設定ピンＩＳＥＴは第２の抵抗ブランチ２７４に接続され、セレクタスイッチ２７１における選択端Ｃ２がイネーブルされるとき、設定ピンＩＳＥＴは第１の抵抗ブランチ２７２に接続される。
【００６９】
例えば、図３Ｃを参照するに、図３Ｃは、並列回路を用いることによって実装されるアジャスタブル抵抗回路２７０の概略構成図を示している。このアジャスタブル抵抗回路２７０は、セレクタスイッチ２７１と、直列に接続された第３の抵抗ＲＩＳＥＴ１及び第４の抵抗ＲＩＳＥＴ２とを含んでいる。
【００７０】
第３の抵抗ＲＩＳＥＴ１が第１の抵抗ブランチ２７２を形成し、第４の抵抗ＲＩＳＥＴ２が第２の抵抗ブランチ２７４を形成する。第３の抵抗ＲＩＳＥＴ１及び第４の抵抗ＲＩＳＥＴ２は異なる抵抗値を持つ。
【００７１】
第３の抵抗ＲＩＳＥＴ１の一端及び第４の抵抗ＲＩＳＥＴ２の一端が接地される。第３の抵抗ＲＩＳＥＴ１の他端及び第４の抵抗ＲＩＳＥＴ２の他端が、セレクタスイッチ２７１の選択端Ｃ２を用いることによって、設定ピンＩＳＥＴに接続される。制御端Ｃ１によって受け取られる切り換え信号に従って、セレクタスイッチ２７１における選択端が第３の抵抗ＲＩＳＥＴ１に接続されるとき、設定ピンＩＳＥＴは第１の抵抗ブランチ２７２に接続され、セレクタスイッチ２７１における選択端が第４の抵抗ＲＩＳＥＴ２に接続されるとき、設定ピンＩＳＥＴは第２の抵抗ブランチ２７４に接続される。
【００７２】
当業者が予見し得ることには、アジャスタブル抵抗回路２７０の多数の実装が存在する。この実施形態は、単に一例としてのアジャスタブル抵抗回路２７０の２つの実装を示すにすぎず、アジャスタブル抵抗回路２７０の特定の実装について限定は課されない。
【００７３】
公式２によれば、デューティ比の値域が不変であるとき、基準電流の電流値が変化することで、駆動電流の電流値調節範囲が、図１に示される１つの電流値調節範囲［最小デューティサイクル×ＩＦＢ＿ｆｕｌｌ，最大デューティサイクル×ＩＦＢ＿ｆｕｌｌ］から、２つの電流値調節範囲［最小デューティサイクル１×Ｉ１，最大デューティサイクル１×Ｉ１］及び［最小デューティサイクル２×Ｉ２，最大デューティサイクル２×Ｉ２］へと増加されることを学ぶことができる。Ｉ１は、設定ピンＩＳＥＴが第１の抵抗ブランチ２７２に接続されるときの基準電流であり、Ｉ２は、設定ピンＩＳＥＴが第２の抵抗ブランチ２７４に接続されるときの基準電流である。
【００７４】
第１の抵抗ブランチ２７２の抵抗値がＲ１であり、第２の抵抗ブランチ２７４の抵抗値がＲ２であると仮定する。
【００７５】
電流値調節範囲［最小デューティサイクル１×Ｉ１，最大デューティサイクル１×Ｉ１］における最大駆動電流が、電流値調節範囲［最小デューティサイクル２×Ｉ２，最大デューティサイクル２×Ｉ２］における最小駆動電流以下であること、すなわち、最大デューティサイクル１×Ｉ１≦最小デューティサイクル２×Ｉ２であることを確保するためには、公式１を参照して、Ｒ１及びＲ２が以下の条件：
Ｒ１≧Ｒ２×最大デューティサイクル２／最小デューティサイクル１
を満たす必要がある。
【００７６】
あるいは、電流値調節範囲［最小デューティサイクル１×Ｉ１，最大デューティサイクル１×Ｉ１］における最小駆動電流が、電流値調節範囲［最小デューティサイクル２×Ｉ２，最大デューティサイクル２×Ｉ２］における最大駆動電流以上であること、すなわち、最小デューティサイクル１×Ｉ１≧最大デューティサイクル２×Ｉ２であることを確保するためには、公式１を参照して、Ｒ１及びＲ２が以下の条件：
Ｒ１≦Ｒ２×最小デューティサイクル１／最大デューティサイクル２
を満たす必要がある。
【００７７】
なお、最小デューティサイクル１及び最小デューティサイクル２は通常は同じであり、それらの双方が１％である。しかしながら、取り得る一実施形態において、最小デューティサイクル１及び最小デューティサイクル２は異なることがあり、例えば、最小デューティサイクル１＝１０％、及び最小デューティサイクル２＝１％であることがある。同様に、最大デューティサイクル１及び最大デューティサイクル２は通常は同じであり、それらの双方が１００％である。しかしながら、取り得る一実施形態において、最大デューティサイクル１及び最大デューティサイクル２は異なることがあり、例えば、最大デューティサイクル１＝１００％、及び最大デューティサイクル２＝９０％であることがある。これは、この実施形態において限定されることではない。この実施形態では、最小デューティサイクル１及び最小デューティサイクル２が同じであり、それらの双方が１％であるとともに、最大デューティサイクル１及び最大デューティサイクル２が通常は同じであり、それらの双方が１００％である一例を用いて説明する。
【００７８】
この実施形態では、Ｒ１＝Ｒ２×最大デューティサイクル２／最小デューティサイクル１である一例を説明に用いる。ＶＩＳＥＴ＿ｆｕｌｌ＝１．２２９Ｖ、ＫＩＳＥＴ＿ｆｕｌｌ＝１０３０、Ｒ１＝６３４０Ｋ、及びＲ２＝６３．４Ｋであると仮定する。第１の抵抗ブランチ２７２に対応する電流値調節範囲は［０．００２ｍＡ，０．２ｍＡ］であり、第２の抵抗ブランチ２７４に対応する電流値調節範囲は［０．２ｍＡ，２０ｍＡ］である。
【００７９】
アジャスタブル抵抗回路２７０内の２つの抵抗ブランチを用いることによってバックライト調節を実行するために、メモリ２４０は３つの対応テーブルを格納し得る。これら３つの対応テーブルは、それぞれ、期待輝度値とサブテーブル（ｓｕｂｔａｂｌｅ）輝度値との間の要約対応テーブル、第１の“サブテーブル輝度値−デューティサイクル”対応テーブル、及び第２の“サブテーブル輝度値−デューティサイクル”対応テーブルである。第１の“サブテーブル輝度値−デューティサイクル”対応テーブルは、略して第１対応テーブルとして参照されることがある。第２の“サブテーブル輝度値−デューティサイクル”対応テーブルは、略して第２対応テーブルとして参照されることがある。容易に理解されることには、対応テーブルは、単に対応を記述するために使用されており、対応テーブルの提示形態は表に限定されない。また、理解及び説明の容易さのために、この実施形態では３つの対応テーブルを用いている。これは、表の数についての限定を構成するものではなく、３つの対応テーブルを１つのテーブルに統合することもできる。
【００８０】
期待輝度値とサブテーブル輝度値との間の要約対応テーブルは、略して要約テーブルとして参照されることがある。要約テーブル内の期待輝度値の値域のうち一部における期待輝度値は、第１対応テーブル内のサブテーブル輝度値に対応しており、すなわち、値域の該一部における期待輝度値は第１の抵抗ブランチに対応している。要約テーブル内の期待輝度値の値域のうち別の一部における期待輝度値は、第２対応テーブル内のサブテーブル輝度値に対応しており、すなわち、値域の該別の一部における期待輝度値は第２の抵抗ブランチに対応している。例えば、要約テーブルを表２に示す。
【００８１】
【表２】
2019501495.tif 000004
【００８２】
表２において、期待輝度値が０から２５５までであるとき、その期待輝度値は第１の抵抗ブランチに対応している。このケースでは、第１対応テーブルにおける期待輝度値とサブテーブル輝度値との間の対応は、サブテーブル輝度値＝期待輝度値／２５５×５１１の四捨五入値である。期待輝度値が２５６から５１１までであるとき、その期待輝度値は第２の抵抗ブランチに対応している。このケースでは、第２対応テーブルにおける期待輝度値とサブテーブル輝度値との間の対応は、サブテーブル輝度値＝（期待輝度値−２５６）／２５５×５１１の四捨五入値である。
【００８３】
第１対応テーブルは、バックライト電源チップ２６０の設定ピンＩＳＥＴが第１の抵抗ブランチに接続されるときに実際に使用される“サブテーブル輝度値−デューティサイクル”対応テーブルである。例えば、第１対応テーブルを表３に示す。
【００８４】
【表３】
2019501495.tif 000005
【００８５】
第２の“期待輝度値−デューティサイクル”対応テーブルは、略して第２対応テーブルとして参照されることがある。第２対応テーブルは、バックライト電源チップ２２０の設定ピンが第２の抵抗ブランチに接続されるときに使用される必要がある“期待輝度値−デューティサイクル”対応テーブルである。例えば、第２対応テーブルを表４に示す。
【００８６】
【表４】
2019501495.tif 000006
【００８７】
バックライトコントローラ２２０によってバックライトを調節する具体的な一手法は以下のとおりである。
【００８８】
電子機器２００が電源投入されるとき、バックライトコントローラ２２０は、バックライトレジスタＲｅｇ＿Ｉｓｅｔからデフォルトの期待輝度値（予め設定された値、又は電子機器２００が前回にスイッチオフされたときの値）を読み出す。例えば、期待輝度値は２５９であり、要約テーブル内の２５９なる期待輝度値は、第２対応テーブル内の６なるサブテーブル輝度値に対応しており、すなわち、２５９なる期待輝度値は、第２の抵抗ブランチ２７４に対応している。バックライトコントローラ２２０は、アジャスタブル抵抗回路２７０内の第２の抵抗ブランチ２７４を設定ピンＩＳＥＴに接続するように制御する。また、バックライトコントローラ２２０は、第２対応テーブル内で、サブテーブル輝度値６に対応するデューティサイクルが２．１４％であることを見出し、そして、バックライトコントローラ２２０は、そのデューティサイクルが２．１４％であるＰＷＭ信号をバックライト電源チップ２６０の入力ピンＩＮに送る。この場合、バックライト電源チップ２６０における基準電流は２０ｍＡであり、２０×２．１４％＝４．２８ｍＡの駆動電流が出力ピンＯＵＴを用いることによって出力され、そして、バックライト源２８０が、４．２８ｍＡの駆動電流に従ったバックライトを外部に出力する。
【００８９】
電子機器２００の動作過程において、３つの要因が期待輝度値の変化を生じさせ得る。
【００９０】
１つ目は、ユーザが手動で期待輝度値を変更する。
【００９１】
バックライト輝度の調節制御が、電子機器の設定インタフェースにて提供される。調節制御は概して、図４に示すようなボタン４２０及びドラッグバー４４０を含むドラッグ調節制御である。ユーザは、ボタン４２０をドラッグバー４４０の異なる位置にドラッグして期待輝度値を変更する。
【００９２】
２つ目は、アプリケーションプログラムが、そのアプリケーションプログラムの制御ロジックに従って期待輝度値を変更する。
【００９３】
バックライトコントローラ２２０によって期待輝度値に対して行われる調節は、オペレーティングシステムレベルで制御するものである。オペレーティングシステムはアプリケーション層を含んでおり、アプリケーション層にて、例えば、インスタントメッセージングプログラム、電子書籍読書プログラム、電話プログラム、及びショートメッセージサービスプログラムといった様々なアプリケーションプログラムが実行される。或るアプリケーションプログラムが、そのアプリケーションプログラムの制御ロジックによって期待輝度値を変更する。例えば、アプリケーションプログラムが電子書籍読書プログラムであるとき、夜間読書モードにおいて期待輝度値が５０に変更される。別の一例では、アプリケーションプログラムが電話プログラムであるとき、通話モードにおいて期待輝度値が０に変更される。
【００９４】
３つ目は、オペレーティングシステムが、周辺光強度に従って期待輝度値を変更する。
【００９５】
通常、電子機器上に更に光センサが配設され、その光センサを用いることによって周辺光強度が収集される。オペレーティングシステムは、周辺光強度に従って期待輝度値を変更することができる。例えば、周辺光強度がＡであるときには期待輝度値が１００に設定され、周辺光強度がＢであるときには期待輝度値が２００に設定される。
【００９６】
この実施形態において、期待輝度値を変更する手法に限定は課されない。
【００９７】
取り得る一実施形態において、２５９なるデフォルトの期待輝度値が、ユーザによって手動で２５８に変更される。バックライトコントローラ２２０は、要約テーブル内で、２５８なる期待輝度値に対応するサブテーブル輝度値が第２対応テーブル内の４であること、すなわち、２５８なる期待輝度値に対応する抵抗ブランチが第２の抵抗ブランチ２７４であることを見出す。この場合、設定ピンＩＳＥＴに接続されている抵抗ブランチが第２の抵抗ブランチ２７４であるため、抵抗ブランチは切り換えられる必要がない。バックライトコントローラ２２０は、第２対応テーブル内で、４なるサブテーブル輝度値に対応するデューティサイクルが１．７６％であることを見出し、そして、バックライトコントローラ２２０は、そのデューティサイクル１．７６％であるＰＷＭ信号をバックライト電源チップ２６０の入力ピンＩＮに送る。この場合、バックライト電源チップ２６０における基準電流は２０ｍＡであり、２０×１．７６％＝０．３５２ｍＡの駆動電流が出力ピンＯＵＴを用いることによって出力され、そして、バックライト源２８０が、０．３５２ｍＡの駆動電流に従ったバックライトを外部に出力する。
【００９８】
取り得る他の一実施形態において、２５９なるデフォルトの期待輝度値が、ユーザによって手動で５０に変更される。バックライトコントローラ２２０は、要約テーブル内で、５０なる期待輝度値に対応するサブテーブル輝度値が第１対応テーブル内の１００であること、すなわち、５０なる期待輝度値に対応する抵抗ブランチが第１の抵抗ブランチ２７２であることを見出す。この場合、設定ピンＩＳＥＴに接続されている抵抗ブランチが第２の抵抗ブランチ２７４であるため、バックライトコントローラ２２０は、設定ピンＩＳＥＴに接続されている第２の抵抗ブランチ２７４を、第１の抵抗ブランチ２７２に切り換える必要がある。バックライトコントローラ２２０は、先ず、切り換え信号をアジャスタブル抵抗回路２７０の制御端Ｃ１に送る。切り換え信号を受け取った後、アジャスタブル抵抗回路２７０は、設定ピンＩＳＥＴと第１の抵抗ブランチ２７２とを接続する。次いで、バックライトコントローラ２２０は、第１対応テーブル内で、１００なるサブテーブル輝度値に対応するデューティサイクルが２０％であることを見出し、そして、バックライトコントローラ２２０は、そのデューティサイクル２０％であるＰＷＭ信号をバックライト電源チップ２６０の入力ピンＩＮに送る。この場合、バックライト電源チップ２６０における基準電流は０．２ｍＡであり、０．２×２０％＝０．０４ｍＡの駆動電流が出力ピンＯＵＴを用いることによって出力され、そして、バックライト源２８０が、０．０４ｍＡの駆動電流に従ったバックライトを外部に出力する。
【００９９】
ユーザによって手動で期待輝度値が５０から２６０まで変更される場合、バックライトコントローラ２２０は、要約テーブル内で、２６０なる期待輝度値に対応するサブテーブル輝度値が第２対応テーブル内の８であること、すなわち、２６０なる期待輝度値に対応する抵抗ブランチが第２の抵抗ブランチ２７４であることを見出す。この場合、設定ピンＩＳＥＴに接続されている抵抗ブランチが第１の抵抗ブランチ２７２であるため、バックライトコントローラ２２０は、設定ピンＩＳＥＴに接続されている第１の抵抗ブランチ２７２を、第２の抵抗ブランチ２７４に切り換える必要がある。バックライトコントローラ２２０は、先ず、切り換え信号をアジャスタブル抵抗回路２７０の制御端Ｃ１に送る。切り換え信号を受け取った後、アジャスタブル抵抗回路２７０は、第２の抵抗ブランチ２７４と設定ピンＩＳＥＴとを接続する。次いで、バックライトコントローラ２２０は、第２対応テーブル内で、８なるサブテーブル輝度値に対応するデューティサイクルが２．５２％であることを見出し、そして、バックライトコントローラ２２０は、そのデューティサイクル２．５２％であるＰＷＭ信号をバックライト電源チップ２６０の入力ピンＩＮに送る。この場合、バックライト電源チップ２６０における基準電流は２０ｍＡであり、２０×２．５２％＝０．５０４ｍＡの駆動電流が出力ピンＯＵＴを用いることによって出力され、そして、バックライト源２８０が、０．５０４ｍＡの駆動電流に従ったバックライトを外部に出力する。
【０１００】
しかしながら、実験においてエンジニアが見出すことには、期待輝度値が５０から２６０に直接切り換えられると、駆動電流が０．０４ｍＡから０．５０４ｍＡに急に変化し、変化振幅が１０倍よりも大きいため、ユーザの視点からは、バックライトがちらついた後に突然明るくなる。バックライトのちらつきは、ユーザの眼をくらませるとともに、バックライト源２８０の物理的寿命の消費を加速させる。より好適な一実施形態では、ユーザの眼がバックライト変化過程によりよく適応することができるとともにバックライト源２８０の物理的寿命が保護されるように、駆動電流が徐々に変化される必要がある。
【０１０１】
具体的には、ユーザによって手動で期待輝度値が５０から２６０まで変更される場合、バックライトコントローラ２２０は、要約テーブル内で、５０なる期待輝度値に対応するサブテーブル輝度値が第１対応テーブル内の１００であること、すなわち、２６０なる期待輝度値に対応するサブテーブル輝度値が第２対応テーブル内の８であること見出す。
【０１０２】
切り換え信号を送る前に、バックライトコントローラ２２０は、切り換え前の現在出力されているＰＷＭ信号のデューティサイクルを、１００％なる最大デューティサイクル１まで徐々に増大させる。詳細は以下のとおりである。
【０１０３】
バックライトコントローラ２２０は、先ず、第１対応テーブル内の１００なるサブテーブル輝度値に１を加算して、１０１なるサブテーブル輝度値を取得し、第１対応テーブル内で、１０１なるサブテーブル輝度値に対応するデューティサイクルが２０．１９％であることを見出し、そして、そのデューティサイクルが２０．１９％であるＰＷＭ信号を入力ピンＩＮに送る。この場合、駆動電流は０．０４０３８ｍＡである。
【０１０４】
次いで、バックライトコントローラ２２０は、第１対応テーブル内の１０１なるサブテーブル輝度値に１を加算して、１０２なるサブテーブル輝度値を取得し、第１対応テーブル内で、１０２なるサブテーブル輝度値に対応するデューティサイクルが２０．３８％であることを見出し、そして、そのデューティサイクルが２０．３８％であるＰＷＭ信号を入力ピンＩＮに送る。この場合、駆動電流は０．０４０７６ｍＡである。
【０１０５】
次いで、バックライトコントローラ２２０は、第１対応テーブル内の１０２なるサブテーブル輝度値に１を加算して、１０３なるサブテーブル輝度値を取得し、第１対応テーブル内で、１０３なるサブテーブル輝度値に対応するデューティサイクルが２０．５７％であることを見出し、そして、そのデューティサイクルが２０．５７％であるＰＷＭ信号を入力ピンＩＮに送る。この場合、駆動電流は０．０４１１４ｍＡである。
【０１０６】
同様にすることにより、第１対応テーブル内の最大値５１１を得るまでサブテーブル輝度値に逐次に１を加算すると、バックライトコントローラ２２０は、そのデューティサイクルが１００％であるＰＷＭ信号を出力する。この場合、図５に示すように、駆動電流は０．２ｍＡである。
【０１０７】
切り換え信号を送った後、バックライトコントローラ２２０は更に、切り換え後に出力されるＰＷＭ信号のデューティサイクルを、最小デューティサイクル２から、２６０なる期待輝度値に対応するデューティサイクル２．５２％まで徐々に増大させる必要がある。詳細は以下のとおりである。
【０１０８】
サブテーブル輝度値が第１対応テーブル内の最大値５１１まで上昇されると、バックライトコントローラ２２０は、切り換え信号をアジャスタブル抵抗回路２７０の制御端Ｃ１に送る。切り換え信号を受け取った後、アジャスタブル抵抗回路２７０は、第２の抵抗ブランチ２７４と設定ピンＩＳＥＴとを接続する。第１の抵抗ブランチ２７２が第２の抵抗ブランチ２７４に切り換えられた後、バックライトコントローラ２２０は、サブテーブル輝度値を、第２対応テーブル内の０なる最小サブテーブル輝度値に更新し、第２対応テーブル内で、０なるサブテーブル輝度値に対応するデューティサイクルが、１％なる最小デューティサイクル２であることを見出し、そして、そのデューティサイクルが１％であるＰＷＭ信号を入力ピンＩＮに送る。この場合、駆動電流は０．２ｍＡである。
【０１０９】
バックライトコントローラ２２０は、第２対応テーブル内の０なるサブテーブル輝度値に１を加算して、１なるサブテーブル輝度値を取得し、第２対応テーブル内で、１なるサブテーブル輝度値に対応するデューティサイクルが１．１９％であることを見出し、そして、そのデューティサイクルが１．１９％であるＰＷＭ信号を入力ピンＩＮに送る。この場合、駆動電流は０．２３８ｍＡである。
【０１１０】
同様にすることにより、第２対応テーブル内の８なるサブテーブル輝度値を得るまでサブテーブル輝度値に逐次に１を加算すると、バックライトコントローラ２２０は、そのデューティサイクルが２．５２％であるＰＷＭ信号を入力ピンＩＮに送る。この場合、駆動電流は０．５０４ｍＡである。
【０１１１】
明らかなように、駆動電流は、０．０４ｍＡから、０．０４０３８ｍＡ、０．０４０７６ｍＡ、…、０．２ｍＡ、０．２３８ｍＡ、…、０．５０４ｍＡまで徐々に増大される。ユーザの視点からは、バックライトが徐々に明るくなる。ちらつきが存在しないとともに、バックライト源２８０の物理的寿命を保護することができる。
【０１１２】
加えて、ユーザは、暗い環境内でのバックライト変化に対してかなり敏感である。しかしながら、第１対応テーブル内の２つの隣り合う駆動電流の調節ステップ幅が０．０００３８ｍＡであり、第２対応テーブル内の２つの隣り合う駆動電流間の調節ステップ幅が０．０３８ｍＡであるため、本発明のこの実施形態においては、より低いバックライト輝度における調節ステップ幅が、より高いバックライト輝度における調節ステップ幅よりも小さい。ユーザは、２つの隣り合う駆動電流間の変化を知覚しにくい。すなわち、低めのバックライト輝度におけるバックライト傾斜プロセスの方が細かくてソフトである。
【０１１３】
なお、バックライト調節プロセスにおいては、より小さい期待輝度値がより大きい期待輝度値へと調節されることもあるし、より大きい期待輝度値がより小さい期待輝度値へと調節されることもある。
【０１１４】
要するに、本発明のこの実施形態にて提供される電子機器においては、バックライト電源チップの設定ピンが、アジャスタブル抵抗回路に接続され、アジャスタブル抵抗回路が、バックライト電源チップにおける基準電流を変化させ、それにより、駆動電流の電流値調節範囲を変化させるように、設定ピンに接続される抵抗ブランチを、切り換え信号に従って、第１の抵抗ブランチから第２の抵抗ブランチへと切り換える。これは、バックライト電源チップの限られたハードウェア性能に起因して、バックライト電源チップは限られた電流値調節範囲内でしか駆動電流を出力することができないので、バックライトＬＥＤによって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０１１５】
本発明のこの実施形態にて提供される電子機器によれば、いっそう大きい変化範囲を持つ電流値調節範囲を実装するように、第１の抵抗ブランチに対応する電流値調節範囲と第２の抵抗ブランチに対応する電流値調節範囲とが、連続した電流値調節範囲へと組み合わされることができるよう、Ｒ１＝Ｒ２×最大デューティサイクル２／最小デューティサイクル１、又はＲ１＝Ｒ２×最小デューティサイクル１／最大デューティサイクル２が設定され得る。このいっそう大きい変化範囲を持つ電流値調節範囲によれば、第１の抵抗ブランチと第２の抵抗ブランチとの間で切り換えが行われるときにちらつきが存在しない。
【０１１６】
本発明のこの実施形態にて提供される電子機器によれば、期待輝度値が第１のサブテーブル輝度値から第２のサブテーブル輝度値まで変更されるプロセスにおいて、次第に１を加算すること又は次第に１を減算することによって、第１のサブテーブル輝度値が第２のサブテーブル輝度値まで徐々に変化され、それにより、駆動電流が徐々に変化され、バックライトが徐々に変化され、そして、ユーザの眼がバックライト変化過程によりよく適応し得るとともに、バックライト源の物理的寿命が保護される。
【０１１７】
本発明のこの実施形態にて提供される電子機器によれば、小さめの電流値調節範囲の方で、２つの隣り合う駆動電流間の調節ステップ幅が小さく、それにより、ユーザは暗い環境内でのバックライト変化に対してかなり敏感であるものの、ユーザは２つの隣り合う駆動電流間の変化を知覚しにくい。すなわち、低めのバックライト輝度におけるバックライト傾斜プロセスの方が細かくてソフトである。
【０１１８】
図５を参照して学ぶことができることには、第１対応テーブル及び第２対応テーブル双方が５１２個のサブテーブル輝度値を持つので、バックライトコントローラ２２０は、１０２４個の輝度レベルでバックライト輝度を調節する能力を持っている。しかしながら、メモリ２４０が、要約テーブル、第１対応テーブル、及び第２対応テーブルという３つの表を格納する必要がある。オプションの一実施形態において、要約テーブル、第１対応テーブル、及び第２対応テーブルは、１つのテーブルに統合されることができる。バックライトレジスタがなおも９ビットである場合、そのテーブルを表５に示す。
【０１１９】
【表５】
2019501495.tif 000007
【０１２０】
この場合、２つの隣り合うデューティサイクル間の調節ステップ幅が０．１９％から０．３８％に変更され、バックライトコントローラ２２０は５１２個の輝度レベルでのみバックライト輝度を調節することができる。期待輝度値［０，２５５］に対応する抵抗ブランチが第１の抵抗ブランチであり、期待輝度値［２５６，５１１］に対応する抵抗ブランチが第２の抵抗ブランチである。
【０１２１】
なお、第１の抵抗ブランチの抵抗値Ｒ１と第２の抵抗ブランチの抵抗値Ｒ２とが異なるので、第１の抵抗ブランチに対応する電流値調節範囲及び第２の抵抗ブランチに対応する電流値調節範囲に関して、３つのケースが存在し得る。
【０１２２】
１つ目は、これら２つの電流値調節範囲は互いに交わらない。このケースでは、Ｒ１＞Ｒ２×最大デューティサイクル２／最小デューティサイクル１、又はＲ１＜Ｒ２×最小デューティサイクル１／最大デューティサイクル２である。例えば、第１の抵抗ブランチ２７２に対応する電流値調節範囲が［０．００１５ｍＡ，０．１５ｍＡ］であり、第２の抵抗ブランチ２７４に対応する電流値調節範囲が［０．１６ｍＡ，１６ｍＡ］である。オプションで、これら２つの電流値調節範囲間の範囲が比較的小さいとき、例えば、０．１５ｍＡと０．１６ｍＡとの間の差が０．０１ｍＡのみであるとき、２つの抵抗ブランチが切り換えられるときの駆動電流ジャンプが比較的弱く、それ故に、ユーザがこのジャンプに気付くことは殆どない。
【０１２３】
２つ目は、これら２つの電流値調節範囲が境界値で交わる。このケースでは、Ｒ１＝Ｒ２×最大デューティサイクル２／最小デューティサイクル１、又はＲ１＝Ｒ２×最小デューティサイクル１／最大デューティサイクル２である。例えば、第１の抵抗ブランチ２７２に対応する電流値調節範囲が［０．００１５ｍＡ，０．１５ｍＡ］であり、第２の抵抗ブランチ２７４に対応する電流値調節範囲が［０．１５ｍＡ，１５ｍＡ］である。これら２つの抵抗ブランチが切り換えられるとき、駆動電流遷移は存在せず、すなわち、これら２つの電流値調節範囲が、連続した電流値調節範囲を形成するように接続され得る。
【０１２４】
３つ目は、これら２つの電流値調節範囲は、ある区間のセグメント内で交わる。例えば、第１の抵抗ブランチに対応する電流値調節範囲が［０．００１５ｍＡ，０．１５ｍＡ］であり、第２の抵抗ブランチに対応する電流値調節範囲が［０．１０ｍＡ，１０ｍＡ］である。このケースでは、これら２つの電流値調節範囲が互いに交わらないように又は境界値でのみ交わるように、或る対応テーブル内の電流値調節範囲の最小デューティサイクル及び／又は最大デューティサイクルが前もって変更される。例えば、第２の抵抗ブランチに対応する電流値調節範囲が［０．１５ｍＡ，１０ｍＡ］に変更されるように、第２の抵抗ブランチの最小デューティサイクルが変更される。
【０１２５】
バックライトコントローラによってバックライト調節を実行する方法を要約する。図６を参照するに、図６は、本発明の一実施形態に従ったバックライト調節方法の方法フローチャートを示している。この方法は、図２に示した実施形態にて提供されるバックライトコントローラ２２０によって実行され得る。この方法は、以下のステップを含む。
【０１２６】
ステップ６０１：期待輝度値を取得し、期待輝度値は、バックライト源によって放出される期待バックライト輝度を指し示すために使用される。
【０１２７】
電子機器が電源投入されるとき、期待輝度値はデフォルトの期待輝度値である。
【０１２８】
電子機器の動作過程において、期待輝度値を変更することは、これらに限られないが、以下の３つの手法を含む。
【０１２９】
１つ目は、ユーザが手動で期待輝度値を変更する。
【０１３０】
２つ目は、アプリケーションプログラムが、そのアプリケーションプログラムの制御ロジックに従って期待輝度値を変更する。
【０１３１】
３つ目は、オペレーティングシステムが、周辺光強度に従って期待輝度値を変更する。
【０１３２】
ステップ６０２：期待輝度値に対応する抵抗ブランチを決定し、抵抗ブランチは、第１の抵抗ブランチ又は第２の抵抗ブランチのいずれかである。
【０１３３】
バックライトコントローラは、表２に示した要約テーブル、又は表５に示した対応テーブルにクエリーすることによって、期待輝度値に対応する抵抗ブランチを決定する。
【０１３４】
ステップ６０３：期待輝度値に対応する抵抗ブランチが、設定ピンに接続されている抵抗ブランチとは異なるとき、切り換え信号をアジャスタブル抵抗回路の制御端に送る。
【０１３５】
ステップ６０４：バックライト電源チップにＰＷＭ信号を送り、ＰＷＭ信号のデューティサイクルは期待輝度値に対応している。
【０１３６】
バックライトコントローラは、表３に示した第１対応テーブル、又は表４に示した第２対応テーブル、又は表５に示した対応テーブルにクエリーすることによって、期待輝度値に対応するデューティサイクルを決定する。そして、バックライトコントローラは、そのデューティサイクルを満たすＰＷＭ信号をバックライト電源チップの入力ピンＩＮに送る。
【０１３７】
バックライト電源チップは、基準電流に基づいて、且つＰＷＭ信号のデューティサイクルに従って、駆動電流を生成して、該駆動電流をバックライト源に送るように構成され、バックライト源は、駆動電流に従ってバックライトを放出するように構成される。
【０１３８】
要するに、この実施形態にて提供されるバックライト調節方法によれば、バックライトコントローラが、期待輝度値を取得し、該期待輝度値に対応する抵抗ブランチが、設定ピンに接続されている抵抗ブランチとは異なるときに、切り換え信号をアジャスタブル抵抗回路の制御端に送る。アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０１３９】
バックライト輝度の急な変化及びちらつきを回避するために、バックライトコントローラは更に、バックライト切り換えプロセスにおいて、駆動電流に対する傾斜調節を実行し得る。
【０１４０】
Ｒ１＞Ｒ２及びＲ１＜Ｒ２という２つの抵抗値条件と、より小さい期待輝度値がより大きい期待輝度値に調節される又はより大きい期待輝度値がより小さい期待輝度値に調節されるという２つの調節ケースとが存在するので、合計４つの取り得る実施形態が存在する。
【０１４１】
第１実施形態では、Ｒ１＞Ｒ２であるとともに、第１の抵抗ブランチに対応するより小さい期待輝度値が、第２の抵抗ブランチに対応するより大きい期待輝度値に調節される。
【０１４２】
第２実施形態では、Ｒ１＜Ｒ２であるとともに、第１の抵抗ブランチに対応するより大きい期待輝度値が、第２の抵抗ブランチに対応するより小さい期待輝度値に調節される。
【０１４３】
第３実施形態では、Ｒ１＞Ｒ２であるとともに、第２の抵抗ブランチに対応するより大きい期待輝度値が、第１の抵抗ブランチに対応するより小さい期待輝度値に調節される。
【０１４４】
第４実施形態では、Ｒ１＜Ｒ２であるとともに、第２の抵抗ブランチに対応するより小さい期待輝度値が、第１の抵抗ブランチに対応するより大きい期待輝度値に調節される。
【０１４５】
図７Ａを参照するに、図７Ａは、本発明の他の一実施形態に従ったバックライト調節方法のフローチャートを示している。この方法は、図２に示した実施形態にて提供されるバックライトコントローラ２２０によって実行されることができ、また、上記第１実施形態でのバックライト調節を実行するために使用される。この方法は、以下のステップを含む。
【０１４６】
ステップ７０１：期待輝度値を取得し、期待輝度値は、バックライト源によって放出される期待バックライト輝度を指し示すために使用される。
【０１４７】
電子機器が電源投入されるとき、期待輝度値はデフォルトの期待輝度値である。
【０１４８】
電子機器の動作過程において、期待輝度値を変更することは、これらに限られないが、以下の３つの手法を含む。
【０１４９】
１つ目は、ユーザが手動で期待輝度値を変更する。
【０１５０】
２つ目は、アプリケーションプログラムが、そのアプリケーションプログラムの制御ロジックに従って期待輝度値を変更する。
【０１５１】
３つ目は、オペレーティングシステムが、周辺光強度に従って期待輝度値を変更する。
【０１５２】
ステップ７０２：期待輝度値に対応する抵抗ブランチを決定し、抵抗ブランチは、第１の抵抗ブランチ又は第２の抵抗ブランチのいずれかである。
【０１５３】
バックライトコントローラは、表２に示した要約テーブル、又は表５に示した対応テーブルにクエリーすることによって、期待輝度値に対応する抵抗ブランチを決定する。
【０１５４】
ステップ７０３：期待輝度値に対応する抵抗ブランチが、設定ピンに接続されている抵抗ブランチとは異なり、且つ、設定ピンに接続されている抵抗ブランチが第１の抵抗ブランチであり、第１の抵抗ブランチの抵抗値が第２の抵抗ブランチの抵抗値よりも大きいとき、現在出力されているＰＷＭ信号のデューティサイクルを最大デューティサイクル１まで徐々に増大させる。
【０１５５】
最大デューティサイクル１は、設定ピンが第１の抵抗ブランチに接続されるときの最大デューティサイクルである。
【０１５６】
バックライトコントローラが現在出力されているＰＷＭ信号のデューティサイクルを最大デューティサイクル１まで徐々に増大させるときに使用される調節ステップ幅は限定されない。調節ステップ幅は、例えば表３又は表４に示した０．１９％といった、２つの隣り合うサブテーブル輝度値に対応するデューティサイクル間の差であってもよいし、あるいは、調節ステップ幅は、例えば表５に示した０．３８％といった、２つの隣り合う期待輝度値に対応するデューティサイクルの差であってもよいし、あるいは、調節ステップ幅は、その他の取り得る値であってもよい。
【０１５７】
ステップ７０４：切り換え信号をアジャスタブル抵抗回路の制御端に送る。
【０１５８】
設定ピンに接続されている抵抗ブランチが第１の抵抗ブランチであるとき、切り換え信号は、第２の抵抗ブランチと設定ピンとを接続するようにアジャスタブル抵抗回路をトリガーするために使用される。
【０１５９】
設定ピンに接続されている抵抗ブランチが第２の抵抗ブランチであるとき、切り換え信号は、第１の抵抗ブランチと設定ピンとを接続するようにアジャスタブル抵抗回路をトリガーするために使用される。
【０１６０】
ステップ７０５：期待輝度値に対応するデューティサイクルをクエリーする。
【０１６１】
バックライトコントローラは、要約テーブル、第１対応テーブル、及び第２対応テーブル内で、期待輝度値に対応するデューティサイクルをクエリーし、あるいは、バックライトコントローラは、表５に示した対応テーブル内で、期待輝度値に対応するデューティサイクルをクエリーする。
【０１６２】
ステップ７０６：切り換え後に設定ピンに接続される抵抗ブランチが第２の抵抗ブランチであり、且つ、第１の抵抗ブランチの抵抗値が第２の抵抗ブランチの抵抗値よりも大きいとき、現在出力されているＰＷＭ信号のデューティサイクルを、最小デューティサイクル２から、期待輝度値に対応するデューティサイクルまで徐々に増大させる。
【０１６３】
最小デューティサイクル２は、設定ピンが第２の抵抗ブランチに接続されるときの最小デューティサイクルである。
【０１６４】
バックライトコントローラが現在出力されているＰＷＭ信号の最小デューティサイクル２を期待輝度値に対応するデューティサイクルまで徐々に増大させるときに使用される調節ステップ幅は限定されない。調節ステップ幅は、例えば表３又は表４に示した０．１９％といった、２つの隣り合うサブテーブル輝度値に対応するデューティサイクル間の差であってもよいし、あるいは、調節ステップ幅は、例えば表５に示した０．３８％といった、２つの隣り合う期待輝度値に対応するデューティサイクルの差であってもよいし、あるいは、調節ステップ幅は、その他の取り得る値であってもよい。
【０１６５】
要するに、この実施形態にて提供されるバックライト調節方法によれば、切り換え信号が送られる前、ステップ７０３に従ってＰＷＭ信号が徐々に変化し、バックライト輝度は急には変化されず、それにより、バックライト輝度のちらつきが回避される。切り換え信号が送られた後、ステップ７０６に従ってＰＷＭ信号が徐々に変化し、バックライト輝度は急には変化されず、それにより、バックライト輝度のちらつきが回避される。
【０１６６】
同様に、第２実施形態では、図７Ｂに示すように、ステップ７０３がステップ７０３ａで置き換えられ得るとともに、ステップ７０６がステップ７０６ａで置き換えられ得る。
【０１６７】
ステップ７０３ａ：期待輝度値に対応する抵抗ブランチが、設定ピンに接続されている抵抗ブランチとは異なり、且つ、設定ピンに接続されている抵抗ブランチが第１の抵抗ブランチであり、第１の抵抗ブランチの抵抗値が第２の抵抗ブランチの抵抗値よりも小さいとき、現在出力されているＰＷＭ信号のデューティサイクルを最小デューティサイクル１まで徐々に低減させる。
【０１６８】
最小デューティサイクル１は、設定ピンが第１の抵抗ブランチに接続されるときの最大デューティサイクルである。
【０１６９】
ステップ７０６ａ：切り換え後に設定ピンに接続される抵抗ブランチが第２の抵抗ブランチであり、且つ、第１の抵抗ブランチの抵抗値が第２の抵抗ブランチの抵抗値よりも小さいとき、現在出力されているＰＷＭ信号のデューティサイクルを、最大デューティサイクル２から、期待輝度値に対応するデューティサイクルまで徐々に低減させる。
【０１７０】
最大デューティサイクル２は、設定ピンが第２の抵抗ブランチに接続されるときの最大デューティサイクルである。
【０１７１】
同様に、第３実施形態では、図７ｃに示すように、ステップ７０３がステップ７０３ｂで置き換えられ得るとともに、ステップ７０６がステップ７０６ｂで置き換えられ得る。
【０１７２】
ステップ７０３ｂ：期待輝度値に対応する抵抗ブランチが、設定ピンに接続されている抵抗ブランチとは異なり、且つ、設定ピンに接続されている抵抗ブランチが第２の抵抗ブランチであり、第１の抵抗ブランチの抵抗値が第２の抵抗ブランチの抵抗値よりも大きいとき、現在出力されているＰＷＭ信号のデューティサイクルを最小デューティサイクル２まで徐々に低減させる。
【０１７３】
最小デューティサイクル２は、設定ピンが第２の抵抗ブランチに接続されるときの最小デューティサイクルである。
【０１７４】
ステップ７０６ｂ：切り換え後に設定ピンに接続される抵抗ブランチが第１の抵抗ブランチであり、且つ、第１の抵抗ブランチの抵抗値が第２の抵抗ブランチの抵抗値よりも大きいとき、現在出力されているＰＷＭ信号のデューティサイクルを、最大デューティサイクル１から、期待輝度値に対応するデューティサイクルまで徐々に低減させる。
【０１７５】
最大デューティサイクル１は、設定ピンが第２の抵抗ブランチに接続されるときの最大デューティサイクルである。
【０１７６】
同様に、第４実施形態では、図７Ｃに示すように、ステップ７０３がステップ７０３ｃで置き換えられ得るとともに、ステップ７０６がステップ７０６ｃで置き換えられ得る。
【０１７７】
ステップ７０３ｃ：期待輝度値に対応する抵抗ブランチが、設定ピンに接続されている抵抗ブランチとは異なり、且つ、設定ピンに接続されている抵抗ブランチが第２の抵抗ブランチであり、第１の抵抗ブランチの抵抗値が第２の抵抗ブランチの抵抗値よりも小さいとき、現在出力されているＰＷＭ信号のデューティサイクルを最大デューティサイクル２まで徐々に増大させる。
【０１７８】
最大デューティサイクル２は、設定ピンが第２の抵抗ブランチに接続されるときの最大デューティサイクルである。
【０１７９】
ステップ７０６ｃ：切り換え後に設定ピンに接続される抵抗ブランチが第１の抵抗ブランチであり、且つ、第１の抵抗ブランチの抵抗値が第２の抵抗ブランチの抵抗値よりも小さいとき、現在出力されているＰＷＭ信号のデューティサイクルを、最小デューティサイクル１を、期待輝度値に対応するデューティサイクルまで徐々に増大させる。
【０１８０】
最小デューティサイクル１は、設定ピンが第２の抵抗ブランチに接続されるときの最小最大デューティサイクルである。
【０１８１】
当業者が理解し得ることには、これらの実施形態のステップの全て又は一部は、ハードウェア又は関連ハードウェアに命令するプログラムによって実装され得る。プログラムは、コンピュータ読み取り可能記憶媒体に格納され得る。記憶媒体は、読み出し専用メモリ、磁気ディスク、又は光ディスクを含み得る。
【０１８２】
以上の説明は、単に本発明の実施形態例に過ぎず、本発明を限定することを意図したものではない。本発明の精神及び原理を逸脱することなく為される如何なる変更、均等物、置換、及び改良も、本発明の保護範囲に入るものである。
【図１】
2019501495.tif 000008
【図２】
2019501495.tif 000009
【図３Ａ】
2019501495.tif 000010
【図３Ｂ】
2019501495.tif 000011
【図３Ｃ】
2019501495.tif 000012
【図４】
2019501495.tif 000013
【図５】
2019501495.tif 000014
【図６】
2019501495.tif 000015
【図７Ａ】
2019501495.tif 000016
【図７Ｂ】
2019501495.tif 000017
【図７Ｃ】
2019501495.tif 000018
【図７Ｄ】
2019501495.tif 000019
【手続補正書】
【提出日】平成30年7月11日(2018.7.11)
【手続補正１】
【補正対象書類名】特許請求の範囲
【補正対象項目名】全文
【補正方法】変更
【補正の内容】
【特許請求の範囲】
【請求項１】
バックライト回路であって、当該バックライト回路は、バックライト電源チップと、アジャスタブル抵抗回路とを有し、
前記バックライト電源チップは、基準電流を設定するように構成された設定ピンと、入力ピンと、出力ピンとを有し、
前記アジャスタブル抵抗回路の一端が前記設定ピンに接続され、前記アジャスタブル抵抗回路の他端が接地され、前記アジャスタブル抵抗回路は、第１の抵抗ブランチと、第２の抵抗ブランチとを有し、該第１の抵抗ブランチ及び該第２の抵抗ブランチは、異なる基準電流を生成するために使用される異なる抵抗値を有し、
前記アジャスタブル抵抗回路は制御端を有し、該制御端は、切り換え信号を受け取るとともに、該切り換え信号に従って、前記設定ピンに接続される抵抗ブランチを、前記第１の抵抗ブランチと前記第２の抵抗ブランチとの間で切り換えるように構成され、且つ
前記バックライト電源チップは、前記基準電流に基づいて、且つ前記入力ピンによって受け取られるパルス幅変調（ＰＷＭ）信号のデューティサイクルに従って、駆動電流を生成するとともに、前記出力ピンを用いることによって前記駆動電流を出力するように構成され、前記駆動電流は、発光するようバックライト源を駆動するために使用される、
バックライト回路。
【請求項２】
前記アジャスタブル抵抗回路は、セレクタスイッチと、少なくとも２つの抵抗ブランチとを有し、該少なくとも２つの抵抗ブランチのうちのいずれか１つが前記第１の抵抗ブランチであり、該少なくとも２つの抵抗ブランチのうちの他のものが前記第２の抵抗ブランチであり、
前記セレクタスイッチは、前記制御端と、選択端とを有し、且つ
前記選択端は、前記制御端によって受け取られる前記切り換え信号に従って、前記設定ピンに接続される抵抗ブランチを、前記第１の抵抗ブランチと前記第２の抵抗ブランチとの間で切り換えるように構成される、
請求項１に記載のバックライト回路。
【請求項３】
前記アジャスタブル抵抗回路は、直列に接続された第１の抵抗及び第２の抵抗を有し、
前記第１の抵抗及び前記第２の抵抗が前記第１の抵抗ブランチを形成し、前記第２の抵抗が前記第２の抵抗ブランチを形成し、又は
前記第１の抵抗及び前記第２の抵抗が前記第２の抵抗ブランチを形成し、前記第２の抵抗が前記第１の抵抗ブランチを形成する、
請求項２に記載のバックライト回路。
【請求項４】
前記アジャスタブル抵抗回路は、並列に接続された第３の抵抗及び第４の抵抗を有し、
前記第３の抵抗が前記第１の抵抗ブランチを形成し、且つ
前記第４の抵抗が前記第２の抵抗ブランチを形成する、
請求項２に記載のバックライト回路。
【請求項５】
前記第１の抵抗ブランチの抵抗値Ｒ１及び前記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、前記最小デューティサイクル１は、前記設定ピンが前記第１の抵抗ブランチに接続されるときの最小デューティサイクルであり、最大デューティサイクル１は、前記設定ピンが前記第１の抵抗ブランチに接続されるときの最大デューティサイクルであり、最小デューティサイクル２は、前記設定ピンが前記第２の抵抗ブランチに接続されるときの最小デューティサイクルであり、前記最大デューティサイクル２は、前記設定ピンが前記第２の抵抗ブランチに接続されるときの最大デューティサイクルである、
請求項１乃至４のいずれか一項に記載のバックライト回路。
【請求項６】
前記切り換え信号は、期待輝度値に対応する抵抗ブランチが、前記設定ピンに接続されている前記抵抗ブランチとは異なる場合に、バックライトコントローラによって送られ、且つ、
前記期待輝度値は、前記バックライト源によって放出される期待バックライト輝度を指し示すために使用される、
請求項１乃至４のいずれか一項に記載のバックライト回路。
【請求項７】
電子機器であって、当該電子機器は、バックライトコントローラと、メモリと、請求項１乃至６のいずれか一項に記載の前記バックライト回路及び前記バックライト源とを有し、前記メモリは、前記バックライトコントローラに接続され、前記メモリは、前記バックライトコントローラの実行可能プログラムを格納し、
前記バックライトコントローラは、前記バックライト回路内の前記バックライト電源チップの入力ピンに接続されるとともに、前記パルス幅変調（ＰＷＭ）信号を前記バックライト電源チップに送るように構成され、前記バックライトコントローラは更に、前記バックライト回路内の前記アジャスタブル抵抗回路の前記制御端に接続されるとともに、前記切り換え信号を前記アジャスタブル抵抗回路に送るように構成され、且つ
前記バックライト回路内の前記バックライト電源チップの出力ピンが、前記バックライト源に接続され、前記バックライト源は、前記駆動電流に従ってバックライトを放出するように構成される、
電子機器。
【請求項８】
前記バックライトコントローラは、中央演算処理ユニット（ＣＰＵ）、グラフィックス処理ユニット（ＧＰＵ）、又は液晶ディスプレイドライバ集積回路（Ｄｒｉｖｅ  ＩＣ）である、請求項７に記載の電子機器。
【請求項９】
前記バックライトコントローラは、
期待輝度値を取得し、該期待輝度値は、前記バックライト源によって放出される期待バックライト輝度を指し示すために使用され、
前記期待輝度値に対応する抵抗ブランチを決定し、該抵抗ブランチは、第１の抵抗ブランチ又は第２の抵抗ブランチのいずれかであり、且つ
前記期待輝度値に対応する前記抵抗ブランチが、設定ピンに接続されている抵抗ブランチとは異なる場合に、前記切り換え信号を前記アジャスタブル抵抗回路の前記制御端に送る
ように構成され、且つ
前記バックライトコントローラは更に、前記ＰＷＭ信号を前記バックライト電源チップに送るように構成され、前記ＰＷＭ信号のデューティサイクルは前記期待輝度値に対応する、
請求項７に記載の電子機器。
【請求項１０】
前記バックライトコントローラは更に、前記切り換え信号を前記アジャスタブル抵抗回路の前記制御端に送る前に、前記設定ピンに接続されている前記抵抗ブランチが前記第１の抵抗ブランチであり且つ前記第１の抵抗ブランチの抵抗値が前記第２の抵抗ブランチの抵抗値よりも大きい場合に、現在出力されているＰＷＭ信号のデューティサイクルを最大デューティサイクル１まで徐々に増大させるように構成され、前記最大デューティサイクル１は、前記設定ピンが前記第１の抵抗ブランチに接続されるときの最大デューティサイクルであり、又は
前記バックライトコントローラは更に、前記切り換え信号を前記アジャスタブル抵抗回路の前記制御端に送る前に、前記設定ピンに接続されている前記抵抗ブランチが前記第１の抵抗ブランチであり且つ前記第１の抵抗ブランチの抵抗値が前記第２の抵抗ブランチの抵抗値よりも小さい場合に、現在出力されているＰＷＭ信号のデューティサイクルを最小デューティサイクル１まで徐々に低減させるように構成され、前記最小デューティサイクル１は、前記設定ピンが前記第１の抵抗ブランチに接続されるときの最小デューティサイクルであり、又は
前記バックライトコントローラは更に、前記切り換え信号を前記アジャスタブル抵抗回路の前記制御端に送る前に、前記設定ピンに接続されている前記抵抗ブランチが前記第２の抵抗ブランチであり且つ前記第１の抵抗ブランチの抵抗値が前記第２の抵抗ブランチの抵抗値よりも大きい場合に、現在出力されているＰＷＭ信号のデューティサイクルを最小デューティサイクル２まで徐々に低減させるように構成され、前記最小デューティサイクル２は、前記設定ピンが前記第２の抵抗ブランチに接続されるときの最小デューティサイクルであり、又は
前記バックライトコントローラは更に、前記切り換え信号を前記アジャスタブル抵抗回路の前記制御端に送る前に、前記設定ピンに接続されている前記抵抗ブランチが前記第２の抵抗ブランチであり且つ前記第１の抵抗ブランチの抵抗値が前記第２の抵抗ブランチの抵抗値よりも小さい場合に、現在出力されているＰＷＭ信号のデューティサイクルを最大デューティサイクル２まで徐々に増大させるように構成され、前記最大デューティサイクル２は、前記設定ピンが前記第２の抵抗ブランチに接続されるときの最大デューティサイクルである、
請求項９に記載の電子機器。
【請求項１１】
前記バックライトコントローラは更に、前記期待輝度値に対応するデューティサイクルをクエリーし、且つ、切り換え後に前記設定ピンに接続される抵抗ブランチが前記第２の抵抗ブランチであり且つ前記第１の抵抗ブランチの抵抗値が前記第２の抵抗ブランチの抵抗値よりも大きい場合に、現在出力されているＰＷＭ信号のデューティサイクルを最小デューティサイクル２から前記期待輝度値に対応する前記デューティサイクルまで徐々に増大させるように構成され、前記最小デューティサイクル２は、前記設定ピンが前記第２の抵抗ブランチに接続されるときの最小デューティサイクルであり、又は
前記バックライトコントローラは更に、前記期待輝度値に対応する前記デューティサイクルをクエリーし、且つ、切り換え後に前記設定ピンに接続される抵抗ブランチが前記第２の抵抗ブランチであり且つ前記第１の抵抗ブランチの抵抗値が前記第２の抵抗ブランチの抵抗値よりも小さい場合に、現在出力されているＰＷＭ信号のデューティサイクルを最大デューティサイクル２から前記期待輝度値に対応する前記デューティサイクルまで徐々に低減させるように構成され、前記最大デューティサイクル２は、前記設定ピンが前記第２の抵抗ブランチに接続されるときの最大デューティサイクルであり、又は
前記バックライトコントローラは更に、前記期待輝度値に対応する前記デューティサイクルをクエリーし、且つ、切り換え後に前記設定ピンに接続される抵抗ブランチが前記第１の抵抗ブランチであり且つ前記第１の抵抗ブランチの抵抗値が前記第２の抵抗ブランチの抵抗値よりも大きい場合に、現在出力されているＰＷＭ信号のデューティサイクルを最大デューティサイクル１から前記期待輝度値に対応する前記デューティサイクルまで徐々に低減させるように構成され、前記最大デューティサイクル１は、前記設定ピンが前記第１の抵抗ブランチに接続されるときの最大デューティサイクルであり、又は
前記バックライトコントローラは更に、前記期待輝度値に対応する前記デューティサイクルをクエリーし、且つ、切り換え後に前記設定ピンに接続される抵抗ブランチが前記第１の抵抗ブランチであり且つ前記第１の抵抗ブランチの抵抗値が前記第２の抵抗ブランチの抵抗値よりも小さい場合に、現在出力されているＰＷＭ信号のデューティサイクルを最小デューティサイクル１から前記期待輝度値に対応する前記デューティサイクルまで徐々に増大させるように構成され、前記最小デューティサイクル１は、前記設定ピンが前記第１の抵抗ブランチに接続されるときの最小デューティサイクルである、
請求項９に記載の電子機器。
【請求項１２】
前記第１の抵抗ブランチの抵抗値Ｒ１及び前記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、前記最小デューティサイクル１は、前記設定ピンが前記第１の抵抗ブランチに接続されるときの最小デューティサイクルであり、前記最大デューティサイクル１は、前記設定ピンが前記第１の抵抗ブランチに接続されるときの最大デューティサイクルであり、前記最小デューティサイクル２は、前記設定ピンが前記第２の抵抗ブランチに接続されるときの最小デューティサイクルであり、前記最大デューティサイクル２は、前記設定ピンが前記第２の抵抗ブランチに接続されるときの最大デューティサイクルである、
請求項７乃至１１のいずれか一項に記載の電子機器。
【請求項１３】
請求項７又は８に記載の電子機器の前記バックライトコントローラに適用されるバックライト調節方法であって、
期待輝度値を取得し、該期待輝度値は、バックライト源によって放出される期待バックライト輝度を指し示すために使用され、
前記期待輝度値に対応する抵抗ブランチを決定し、該抵抗ブランチは、前記第１の抵抗ブランチ又は前記第２の抵抗ブランチのいずれかであり、
前記期待輝度値に対応する前記抵抗ブランチが、設定ピンに接続されている抵抗ブランチとは異なる場合に、切り換え信号を前記アジャスタブル抵抗回路の制御端に送り、且つ
ＰＷＭ信号を前記バックライト電源チップに送り、前記ＰＷＭ信号のデューティサイクルは前記期待輝度値に対応し、前記バックライト電源チップは、前記基準電流に基づいて、且つ前記ＰＷＭ信号の前記デューティサイクルに従って、駆動電流を生成するとともに、該駆動電流を前記バックライト源に送るように構成され、前記バックライト源は前記駆動電流に従ってバックライトを放出するように構成される、
ことを有する方法。
【請求項１４】
請求項１３に記載の方法を実行するように適応されたコンピュータプログラム。
【手続補正２】
【補正対象書類名】明細書
【補正対象項目名】全文
【補正方法】変更
【補正の内容】
【発明の詳細な説明】
【技術分野】
【０００１】
本発明の実施形態は、液晶ディスプレイの分野に関し、特に、バックライト回路、電子機器、及びバックライト調節方法に関する。
【背景技術】
【０００２】
例えばスマートフォン及びタブレットコンピュータなどの電子機器は、表示コンポーネントとして液晶ディスプレイ（Ｌｉｑｕｉｄ  Ｃｒｙｓｔａｌ  Ｄｉｓｐｌａｙ、略してＬＣＤ）を用いている。
【０００３】
ＬＣＤは、バックライト回路によって提供されるバックライトを用いるだけで通常の表示を行うことができる。バックライト回路は、バックライトコントローラによって制御される。バックライト回路は、バックライト電源チップと、該バックライト電源チップに接続されたバックライト発光ダイオード（Ｌｉｇｈｔ  Ｅｍｉｔｔｉｎｇ  Ｄｉｏｄｅ、略してＬＥＤ）とを含む。動作過程において、バックライト電源チップは、バックライトコントローラによって送られるパルス幅変調（Ｐｕｌｓｅ−Ｗｉｄｔｈ  Ｍｏｄｕｌａｔｉｏｎ、略してＰＷＭ）信号を受け取る。バックライト電源チップは、パルス幅変調信号に従ってバックライトＬＥＤに駆動電流を出力する。バックライトＬＥＤは、駆動電流に従ってバックライトを放出する。駆動電流の大きさとバックライト強度とは正の相関関係にあり、すなわち、より大きい駆動電流はより高いバックライト強度を示し、より小さい駆動電流はより低いバックライト強度を示す。
【０００４】
バックライト電源チップのハードウェア性能によって制限されて、バックライト電源チップによって出力される駆動電流の大きさは、限られた範囲内に収まってしまう。結果として、バックライトＬＥＤによって出力されるバックライト輝度も、限られた輝度範囲内に収まってしまう。換言すれば、バックライトＬＥＤによって出力される最低輝度又は最高輝度は、設計において開発者の期待する理想的な輝度ではなく、バックライトＬＥＤによって実際に出力されることができる限られた輝度である。
【発明の概要】
【０００５】
バックライト電源チップの限られたハードウェア性能に起因して、バックライト電源チップは、限られた電流値調節範囲内でしか駆動電流を出力することができないので、バックライトＬＥＤによって出力される輝度が限られた輝度範囲内に収まってしまうという問題、を解決するために、本発明の実施形態は、バックライト回路、電子機器、及びバックライト調節方法を提供する。技術的ソリューションは以下のとおりである。
【０００６】
第１の態様によれば、本発明の一実施形態はバックライト回路を提供し、当該バックライト回路は、バックライト電源チップと、アジャスタブル抵抗回路とを含み、上記バックライト電源チップは、基準電流を設定するように構成された設定ピンと、入力ピンと、出力ピンとを含み、上記アジャスタブル抵抗回路の一端が上記設定ピンに接続され、上記アジャスタブル抵抗回路の他端が接地され、上記アジャスタブル抵抗回路は、第１の抵抗ブランチと、第２の抵抗ブランチとを含み、該第１の抵抗ブランチ及び該第２の抵抗ブランチは、異なる基準電流を生成するために使用される異なる抵抗値を有し、上記アジャスタブル抵抗回路は制御端を有し、該制御端は、切り換え信号を受け取るとともに、該切り換え信号に従って、上記設定ピンに接続される抵抗ブランチを、上記第１の抵抗ブランチと上記第２の抵抗ブランチとの間で切り換えるように構成され、且つ上記バックライト電源チップは、上記基準電流に基づいて、且つ上記入力ピンによって受け取られるＰＷＭ信号のデューティサイクルに従って、駆動電流を生成するとともに、上記出力ピンを用いることによって上記駆動電流を出力するように構成され、上記駆動電流は、バックライト源を駆動してバックライトを送出するために使用される。
【０００７】
第１の態様にて提供されるバックライト回路においては、バックライト電源チップの設定ピンが、アジャスタブル抵抗回路に接続され、該アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０００８】
上記第１の態様の第１の取り得る実装において、上記アジャスタブル抵抗回路は、セレクタスイッチと、少なくとも２つの抵抗ブランチとを含み、該少なくとも２つの抵抗ブランチのうちのいずれか１つが上記第１の抵抗ブランチであり、該少なくとも２つの抵抗ブランチのうちの他のものが上記第２の抵抗ブランチであり、上記セレクタスイッチは、上記制御端と、選択端とを含み、且つ上記選択端は、上記制御端によって受け取られる上記切り換え信号に従って、上記設定ピンに接続される抵抗ブランチを、上記第１の抵抗ブランチと上記第２の抵抗ブランチとの間で切り換えるように構成される。この実装では、セレクタスイッチ及び少なくとも２つの抵抗ブランチがアジャスタブル抵抗回路内に配置され、３つの抵抗ブランチ、４つの抵抗ブランチ、又は更に多くの抵抗ブランチがアジャスタブル抵抗回路内に実装されることで、駆動電流に関するいっそう大きい電流値調節範囲を実現する。
【０００９】
上記第１の態様の上記第１の取り得る実装を参照するに、第２の取り得る実装において、上記アジャスタブル抵抗回路は、直列に接続された第１の抵抗及び第２の抵抗を含み、上記第１の抵抗及び上記第２の抵抗が上記第１の抵抗ブランチを形成し、上記第２の抵抗が上記第２の抵抗ブランチを形成し、又は上記第１の抵抗及び上記第２の抵抗が上記第２の抵抗ブランチを形成し、上記第２の抵抗が上記第１の抵抗ブランチを形成する。この実装では、回路が、単純な形態を持つとともに、回路基板上で容易に設計されて製造されるように、直列抵抗を用いることによって、アジャスタブル抵抗回路内の抵抗ブランチが実装される。
【００１０】
上記第１の態様の上記第１の取り得る実装を参照するに、第３の取り得る実装において、上記アジャスタブル抵抗回路は、並列に接続された第３の抵抗及び第４の抵抗を含み、上記第３の抵抗が上記第１の抵抗ブランチを形成し、且つ上記第４の抵抗が上記第２の抵抗ブランチを形成する。この実装では、回路が、単純な形態を持つとともに、回路基板上で容易に設計されて製造されるように、並列抵抗を用いることによって、アジャスタブル抵抗回路内の抵抗ブランチが実装される。
【００１１】
上記第１の態様、又は上記第１の態様の上記第１の取り得る実装、又は上記第１の態様の上記第２の取り得る実装、又は上記第１の態様の上記第３の取り得る実装を参照するに、第５の取り得る実装において、上記切り換え信号は、期待輝度値に対応する抵抗ブランチが、上記設定ピンに接続されている上記抵抗ブランチとは異なる場合に、バックライトコントローラによって送られ、且つ、上記期待輝度値は、上記バックライト源によって放出される期待バックライト輝度を指し示すために使用される。
【００１２】
第２の態様によれば、本発明の一実施形態は電子機器を提供し、当該電子機器は、バックライトコントローラと、メモリと、上記第１の態様、又は上記第１の態様のいずれかの取り得る実装にて提供される上記バックライト回路及び上記バックライト源とを含み、上記メモリは、上記バックライトコントローラに接続され、上記メモリは、上記バックライトコントローラの実行可能プログラムを格納し、
【００１３】
上記バックライトコントローラは、上記バックライト回路の上記入力ピンに接続されるとともに、上記ＰＷＭ信号を上記バックライト電源チップに送るように構成され、上記バックライトコントローラは、上記バックライト回路内の上記制御端に接続されるとともに、上記切り換え信号を上記アジャスタブル抵抗回路に送るように構成され、且つ
【００１４】
上記バックライト回路内の上記バックライト電源チップの上記出力ピンは、上記バックライト源に接続され、上記バックライト源は、上記駆動電流に従ってバックライトを放出するように構成される。
【００１５】
上記第２の態様の第１の取り得る実装において、上記バックライトコントローラは中央演算処理ユニット（Ｃｅｎｔｒａｌ  Ｐｒｏｃｅｓｓｉｎｇ  Ｕｎｉｔ、略してＣＰＵ）であり、又は上記バックライトコントローラ２２０はグラフィックス処理ユニット（Ｇｒａｐｈｉｃｓ  Ｐｒｏｃｅｓｓｉｎｇ  Ｕｎｉｔ、略してＧＰＵ）であり、又は上記バックライトコントローラ２２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）である。
【００１６】
上記第２の態様の第２の取り得る実装において、上記バックライトコントローラは、上記メモリ内の命令を実行するように構成され、上記バックライトコントローラは、上記命令を実行することによって、以下の第３の態様、又は第３の態様のいずれかの取り得る実装にて提供されるバックライト調節方法を遂行する。
【００１７】
第３の態様によれば、本発明の一実施形態は、第２の態様に従った電子機器の上記バックライトコントローラに適用されるバックライト調節方法を提供し、当該方法は、上記バックライトコントローラにより期待輝度値を取得し、該期待輝度値は、上記バックライト源によって放出される期待バックライト輝度を指し示すために使用され、上記バックライトコントローラにより、上記期待輝度値に対応する抵抗ブランチを決定し、該抵抗ブランチは、上記第１の抵抗ブランチ又は上記第２の抵抗ブランチのいずれかであり、上記期待輝度値に対応する上記抵抗ブランチが、上記設定ピンに接続されている抵抗ブランチとは異なる場合に、上記バックライトコントローラにより、切り換え信号を上記アジャスタブル抵抗回路の制御端に送り、且つ、上記バックライトコントローラにより、ＰＷＭ信号を上記バックライト電源チップに送り、上記ＰＷＭ信号のデューティサイクルは上記期待輝度値に対応し、上記バックライト電源チップは、上記基準電流に基づいて、且つ上記ＰＷＭ信号の上記デューティサイクルに従って、駆動電流を生成するとともに、該駆動電流を上記バックライト源に送るように構成され、上記バックライト源は上記駆動電流に従ってバックライトを放出するように構成される、ことを含む。
【００１８】
第３の態様にて提供されるバックライト調節方法によれば、バックライトコントローラが、期待輝度値を取得し、該期待輝度値に対応する抵抗ブランチが、設定ピンに接続されている抵抗ブランチとは異なるときに、切り換え信号をアジャスタブル抵抗回路の制御端に送る。アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【００１９】
上記第３の態様の第１の取り得る実装において、上記切り換え信号を上記アジャスタブル抵抗回路の上記制御端に送る前に、当該方法は更に、上記設定ピンに接続されている上記抵抗ブランチが上記第１の抵抗ブランチであり且つ上記第１の抵抗ブランチの抵抗値が上記第２の抵抗ブランチの抵抗値よりも大きい場合に、現在出力されているＰＷＭ信号のデューティサイクルを最大デューティサイクル１まで徐々に増大させることを含み、上記最大デューティサイクル１は、上記設定ピンが上記第１の抵抗ブランチに接続されるときの最大デューティサイクルであり、又は、上記設定ピンに接続されている上記抵抗ブランチが上記第１の抵抗ブランチであり且つ上記第１の抵抗ブランチの抵抗値が上記第２の抵抗ブランチの抵抗値よりも小さい場合に、現在出力されているＰＷＭ信号のデューティサイクルを最小デューティサイクル１まで徐々に低減させることを含み、上記最小デューティサイクル１は、上記設定ピンが上記第１の抵抗ブランチに接続されるときの最小デューティサイクルであり、又は、上記設定ピンに接続されている上記抵抗ブランチが上記第２の抵抗ブランチであり且つ上記第１の抵抗ブランチの抵抗値が上記第２の抵抗ブランチの抵抗値よりも大きい場合に、現在出力されているＰＷＭ信号のデューティサイクルを最小デューティサイクル２まで徐々に低減させることを含み、上記最小デューティサイクル２は、上記設定ピンが上記第２の抵抗ブランチに接続されるときの最小デューティサイクルであり、又は、上記設定ピンに接続されている上記抵抗ブランチが上記第２の抵抗ブランチであり且つ上記第１の抵抗ブランチの抵抗値が上記第２の抵抗ブランチの抵抗値よりも小さい場合に、現在出力されているＰＷＭ信号のデューティサイクルを最大デューティサイクル２まで徐々に増大させることを含み、上記最大デューティサイクル２は、上記設定ピンが上記第２の抵抗ブランチに接続されるときの最大デューティサイクルである。この実装では、切り換え信号が送られる前にＰＷＭ信号が徐々に変化し、バックライト輝度が急には変化されず、それにより、バックライト輝度のちらつきが回避される。
【００２０】
上記第３の態様の第２の取り得る実装において、上記ＰＷＭ信号を上記バックライト電源チップに送ることは、上記ＰＷＭ信号のデューティサイクルが上記期待輝度値に対応するとして、上記期待輝度値に対応する上記デューティサイクルをクエリーし、そして、切り換え後に上記設定ピンに接続される抵抗ブランチが上記第２の抵抗ブランチであり且つ上記第１の抵抗ブランチの抵抗値が上記第２の抵抗ブランチの抵抗値よりも大きい場合に、現在出力されているＰＷＭ信号のデューティサイクルを最小デューティサイクル２から上記デューティサイクルまで徐々に増大させ、上記最小デューティサイクル２は、上記設定ピンが上記第２の抵抗ブランチに接続されるときの最小デューティサイクルであり、又は、切り換え後に上記設定ピンに接続される抵抗ブランチが上記第２の抵抗ブランチであり且つ上記第１の抵抗ブランチの抵抗値が上記第２の抵抗ブランチの抵抗値よりも小さい場合に、現在出力されているＰＷＭ信号のデューティサイクルを最大デューティサイクル２から上記デューティサイクルまで徐々に低減させ、上記最大デューティサイクル２は、上記設定ピンが上記第２の抵抗ブランチに接続されるときの最大デューティサイクルであり、又は、切り換え後に上記設定ピンに接続される抵抗ブランチが上記第１の抵抗ブランチであり且つ上記第１の抵抗ブランチの抵抗値が上記第２の抵抗ブランチの抵抗値よりも大きい場合に、現在出力されているＰＷＭ信号のデューティサイクルを最大デューティサイクル１から上記デューティサイクルまで徐々に低減させ、上記最大デューティサイクル１は、上記設定ピンが上記第１の抵抗ブランチに接続されるときの最大デューティサイクルであり、又は、切り換え後に上記設定ピンに接続される抵抗ブランチが上記第１の抵抗ブランチであり且つ上記第１の抵抗ブランチの抵抗値が上記第２の抵抗ブランチの抵抗値よりも小さい場合に、現在出力されているＰＷＭ信号のデューティサイクルを最小デューティサイクル１から上記デューティサイクルまで徐々に増大させ、上記最小デューティサイクル１は、上記設定ピンが上記第１の抵抗ブランチに接続されるときの最小デューティサイクルである、ことを含む。この実装では、切り換え信号が送られた後にＰＷＭ信号が徐々に変化し、バックライト輝度が急には変化されず、それにより、バックライト輝度のちらつきが回避される。
【００２１】
以上の全ての態様、又は全ての態様の全ての取り得る実装を参照するに、取り得る一実装において、上記第１の抵抗ブランチの抵抗値Ｒ１及び上記第２の抵抗ブランチの抵抗値Ｒ２が、以下の条件：
Ｒ１≧Ｒ２×最大デューティサイクル２／最小デューティサイクル１；又は
Ｒ１≦Ｒ２×最小デューティサイクル１／最大デューティサイクル２
を満たし、
ただし、上記最小デューティサイクル１は、上記設定ピンが上記第１の抵抗ブランチに接続されるときの最小デューティサイクルであり、上記最大デューティサイクル１は、上記設定ピンが上記第１の抵抗ブランチに接続されるときの最大デューティサイクルであり、上記最小デューティサイクル２は、上記設定ピンが上記第２の抵抗ブランチに接続されるときの最小デューティサイクルであり、上記最大デューティサイクル２は、上記設定ピンが上記第２の抵抗ブランチに接続されるときの最大デューティサイクルである。この実装では、いっそう大きい変化範囲を持つ電流値調節範囲を実装するように、第１の抵抗ブランチに対応する電流値調節範囲と第２の抵抗ブランチに対応する電流値調節範囲とを、連続した電流値調節範囲へと組み合わせることができるよう、Ｒ１＝Ｒ２×最大デューティサイクル２／最小デューティサイクル１、又はＲ１＝Ｒ２×最小デューティサイクル１／最大デューティサイクル２と仮定される。このいっそう大きい変化範囲を持つ電流値調節範囲によれば、第１の抵抗ブランチと第２の抵抗ブランチとの間で切り換えが行われるときにちらつきが存在しない。
【図面の簡単な説明】
【００２２】
本発明の実施形態における技術的ソリューションをいっそう明瞭に説明するため、以下、実施形態を説明するのに必要な添付図面を簡単に説明する。明らかなように、以下の説明において添付図面は単に本発明の一部の実施形態を示すに過ぎず、当業者はなおも、創作努力なしで、添付図面からその他の図を導き出し得る。
【図１】既存の電子機器の概略構成図である。
【図２】本発明の一実施形態に従った電子機器の概略構成図である。
【図３Ａ】本発明の一実施形態に従ったアジャスタブル抵抗回路の概略構成図である。
【図３Ｂ】本発明の他の一実施形態に従ったアジャスタブル抵抗回路の概略構成図である。
【図３Ｃ】本発明の他の一実施形態に従ったアジャスタブル抵抗回路の概略構成図である。
【図４】本発明の一実施形態に従った電子機器の概略構成図である。
【図５】図４に示した電子機器がバックライト調節を実行するときの概略原理図である。
【図６】本発明の一実施形態に従ったバックライト調節方法のフローチャートである。
【図７Ａ】本発明の一実施形態に従ったバックライト調節方法のフローチャートである。
【図７Ｂ】本発明の一実施形態に従ったバックライト調節方法のフローチャートである。
【図７Ｃ】本発明の一実施形態に従ったバックライト調節方法のフローチャートである。
【図７Ｄ】本発明の一実施形態に従ったバックライト調節方法のフローチャートである。
【発明を実施するための形態】
【００２３】
本発明の目的、技術的ソリューション、及び利点をいっそう明瞭にするため、以下、添付図面を参照して、本発明の実施形態を詳細に説明する。
【００２４】
図１を参照するに、図１は、既存の電子機器１００の概略構成図を示している。電子機器１００は、バックライトコントローラ１２０、メモリ１４０、バックライト電源チップ１６０、及びバックライト源１８０を含んでいる。
【００２５】
バックライトコントローラ１２０は中央演算処理ユニット（Ｃｅｎｔｒａｌ  Ｐｒｏｃｅｓｓｉｎｇ  Ｕｎｉｔ、略してＣＰＵ）であってもよいし、あるいはバックライトコントローラ１２０はグラフィックス処理ユニット（Ｇｒａｐｈｉｃｓ  Ｐｒｏｃｅｓｓｉｎｇ  Ｕｎｉｔ、略してＧＰＵ）であってもよいし、あるいはバックライトコントローラ１２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）であってもよい。
【００２６】
メモリ１４０は、バックライトコントローラ１２０の実行可能命令を格納する。メモリ１４０は、例えば、スタティックランダムアクセスメモリ（Ｓｔａｔｉｃ  Ｒａｎｄｏｍ  Ａｃｃｅｓｓ  Ｍｅｍｏｒｙ、略してＳＲＡＭ）、電気的消去可能・プログラム可能読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能・プログラム可能読み出し専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能読み出し専用メモリ（Ｐｒｏｇｒａｍｍａｂｌｅ  Ｒｅａｄ−Ｏｎｌｙ  Ｍｅｍｏｒｙ、略してＰＲＯＭ）、読み出し専用メモリ（Ｒｅａｄ  Ｏｎｌｙ  Ｍｅｍｏｒｙ、略してＲＯＭ）、磁気メモリ、フラッシュメモリ、磁気ディスク、又は光ディスクなど、如何なるタイプの又は組み合わせの揮発性記憶デバイス及び不揮発性記憶デバイスによって実装されてもよい。
【００２７】
バックライト電源チップ１６０は、ＰＷＭ信号に基づいて駆動電流を出力する集積回路チップである。バックライト電源チップ１６０は、入力ピンＩＮ、設定ピンＩＳＥＴ、及び出力ピンＯＵＴを含んでいる。バックライト電源チップ１６０の内部が基準電流源回路１６２を含んでいる。
【００２８】
入力ピンＩＮは、バックライトコントローラ１２０に接続されている。
【００２９】
設定ピンＩＳＥＴは、バックライト電源チップ１６０の内部の基準電流源回路１６２に接続されている。設定ピンＩＳＥＴは更に、バックライト電源チップ１６０の外部の抵抗ＲＩＳＥＴの一端に接続され、抵抗ＲＩＳＥＴの他端は接地されている。
【００３０】
基準電流源回路１６２は、基準電流ＩＦＢ＿ｆｕｌｌを提供するように構成されており、基準電流を計算するための公式は以下のとおりである：
ＩＦＢ＿ｆｕｌｌ＝ＶＩＳＥＴ＿ｆｕｌｌ／ＲＩＳＥＴ×ＫＩＳＥＴ＿ｆｕｌｌ      公式１
【００３１】
ＶＩＳＥＴ＿ｆｕｌｌは、その電圧値が固定されて不変である基準電圧である。ＫＩＳＥＴ＿ｆｕｌｌは固定パラメータであり、ＫＩＳＥＴ＿ｆｕｌｌは基準電流源回路１６２内の電子素子の電気的性能によって決定される。明らかなように、ＶＩＳＥＴ＿ｆｕｌｌ、ＲＩＳＥＴ、ＫＩＳＥＴ＿ｆｕｌｌの３つのパラメータは全て固定値であるため、基準電流源回路１６２によって提供される基準電流の電流値も固定値である。
【００３２】
また、バックライト電源チップ１６０の一方のピンは電源ＶＢＡＴに接続され、他方のピンは接地されている。
【００３３】
バックライト源１８０は、一般にバックライトＬＥＤである。バックライト源１８０の一端は電源ＶＢＡＴに接続され、他端はバックライト電源チップ１６０の出力ピンＯＵＴに接続される。
【００３４】
動作において、バックライトコントローラ１２０は、所定のバックライト制御ポリシーに従って期待輝度値を生成する。期待輝度値は、バックライトコントローラ１２０によって期待されるバックライト源１８０によって放出されるバックライト輝度である。例えば、所定のバックライト制御ポリシーは、周辺光の輝度が暗くなるとき、期待輝度値が低下され、そして、周辺光の輝度が明るくなるとき、期待輝度値が上昇されるというものである。
【００３５】
期待輝度値は、一般に９ビット又は１１ビットの２進数で表され、バックライトレジスタＲｅｇ＿Ｉｓｅｔに格納される。この実施形態では、９ビットによる表現が一例として用いられる。期待輝度値は０００００００００、すなわち、１０進表記で０であり、又は期待輝度値は１１１１１１１１１、すなわち、１０進表記で５１１である。なお、期待輝度値は、輝度レベル又は輝度タップ位置の単なる表し方であり、実際の物理量における輝度値とは等しくない。
【００３６】
バックライトコントローラ１２０は、予め格納された“期待輝度値−デューティサイクル”対応テーブルから、期待輝度値に対応するデューティサイクルをクエリーする。“期待輝度値−デューティサイクル”対応テーブルは、メモリ１４０に格納されている。表１は、一例としての“期待輝度値−デューティサイクル”対応テーブルを示している。読み取り及び理解の容易さのために、以下の説明では、全ての期待輝度値が１０進表記で表される。
【００３７】
【表１】
2019501495.tif 000020
【００３８】
明らかなように、期待輝度値の値域は［０，５１１］であり、デューティサイクルの値域は［１％、１００％］であるため、２つの隣り合う期待輝度値間のデューティサイクルの調節ステップ幅はおよそ０．１９％である。バックライトコントローラ１２０は、そのデューティサイクルを満足するＰＷＭ信号をバックライト電源チップ１６０の入力ピンに送る。例えば、期待輝度値が４であり、バックライトコントローラ１２０は、そのデューティサイクルが１．７６％であるＰＷＭ信号をバックライト電源チップ１６０の入力ピンに送る。
【００３９】
バックライト電源チップ１６０は、ＰＷＭ信号を受け取った後、ＰＷＭ信号のデューティサイクルに従って、基準電流に基づいて駆動電流を生成する。駆動電流の大きさ及びＰＷＭ信号のデューティサイクルは、正比例の関係にある。駆動電流の電流値を計算するための公式は、以下のとおりである：
ＩＦＢＸ＝ＩＦＢ＿ｆｕｌｌ×Ｄｕｔｙ      公式２
【００４０】
ＩＦＢ＿ｆｕｌｌは基準電流であり、Ｄｕｔｙはデューティサイクルである。
【００４１】
例えば、ＰＷＭ信号のデューティサイクルが１％であり、且つ基準電流が２０ｍＡである場合、駆動電流＝２０ｍＡ×１％＝０．２ｍＡである。別の一例で、ＰＷＭ信号のデューティサイクルが１００％であり、且つ基準電流が２０ｍＡである場合、駆動電流＝２０ｍＡ×１００％＝２０ｍＡである。
【００４２】
バックライト電源チップ１６０の物理的性能によって制限されて、バックライト電源チップ１６０によって受け取られることができる最小デューティサイクルは１％であり、故に、バックライト電源チップ１６０によって出力されることができる最小駆動電流は、１％×基準電流にほぼ等しく、そして、最大駆動電流は１００％×基準電流にほぼ等しく、すなわち、駆動電流の電流値調節範囲は、［１％×ＩＦＢ＿ｆｕｌｌ，１００％×ＩＦＢ＿ｆｕｌｌ］である。表１の例を参照するに、電流値調節範囲は［０．２ｍＡ、２０ｍＡ］である。明らかなように、電流値調節範囲は比較的限られたものである。
【００４３】
駆動電流の電流値調節範囲が比較的限られたものであるため、一部の暗い状態では、最小の駆動電流を用いてバックライト源１８０を駆動するが、バックライト源１８０によって放出されるバックライトが依然としてかなり強く、それによりユーザの眼をくらませる。同様に、一部の明るい条件では、最大の駆動電流を用いてバックライト源１８０を駆動するが、バックライト源１８０によって放出されるバックライトが依然として弱すぎて、液晶ディスプレイ上に表示されるコンテンツをはっきりと見ることができない。
【００４４】
また、電流値調節範囲内の最大調節ステップ数は５１２ステップであり、２つの隣り合うバックライト輝度値間の駆動電流の電流値の変化は、基準電流のおよそ０．１９％である。
【００４５】
上の公式２によれば、駆動電流の電流値が基準電流に関係することを学ぶことができる。本発明は、より小さい電流値を持つ駆動電流、又はより大きい電流値を持つ駆動電流を得るために、本発明の一実施形態は、より大きい電流値域を有する駆動電流が基準電流の変更に基づいて得られる技術的ソリューションを提供する。また、上の公式１を参照するに、基準電流を変更する必要がある場合に抵抗ＲＩＳＥＴの抵抗値を変更してもよいことを学ぶことができる。以上の考えに基づき、以下の実施形態が提供される。
【００４６】
図２を参照するに、図２は、本発明の一実施形態に従った電子機器２００の概略構成図を示している。電子機器２００は、バックライトコントローラ２２０、メモリ２４０、バックライト電源チップ２６０、アジャスタブル抵抗回路２７０、及びバックライト源２８０を含んでいる。
【００４７】
バックライトコントローラ２２０は中央演算処理ユニット（Ｃｅｎｔｒａｌ  Ｐｒｏｃｅｓｓｉｎｇ  Ｕｎｉｔ、略してＣＰＵ）であってもよいし、あるいはバックライトコントローラ２２０はグラフィックス処理ユニット（Ｇｒａｐｈｉｃｓ  Ｐｒｏｃｅｓｓｉｎｇ  Ｕｎｉｔ、略してＧＰＵ）であってもよいし、あるいはバックライトコントローラ２２０はＬＣＤドライバ集積回路（Ｄｒｉｖｅｒ  ｉｎｔｅｇｒａｔｅｄ  ｃｉｒｃｕｉｔ、略してＤｒｉｖｅ  ＩＣ）であってもよい。
【００４８】
メモリ２４０は、バックライトコントローラ２２０の実行可能命令を格納する。メモリ２４０は、例えば、スタティックランダムアクセスメモリ（Ｓｔａｔｉｃ  Ｒａｎｄｏｍ  Ａｃｃｅｓｓ  Ｍｅｍｏｒｙ、略してＳＲＡＭ）、電気的消去可能・プログラム可能読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、略してＥＥＰＲＯＭ）、消去可能・プログラム可能読み出し専用メモリ（Ｅｒａｓａｂｌｅ  Ｐｒｏｇｒａｍｍａｂｌｅ  Ｒｅａｄ  Ｏｎｌｙ  Ｍｅｍｏｒｙ、略してＥＰＲＯＭ）、プログラム可能読み出し専用メモリ（Ｐｒｏｇｒａｍｍａｂｌｅ  Ｒｅａｄ−Ｏｎｌｙ  Ｍｅｍｏｒｙ、略してＰＲＯＭ）、読み出し専用メモリ（Ｒｅａｄ  Ｏｎｌｙ  Ｍｅｍｏｒｙ、略してＲＯＭ）、磁気メモリ、フラッシュメモリ、磁気ディスク、又は光ディスクなど、如何なるタイプの又は組み合わせの揮発性記憶デバイス及び不揮発性記憶デバイスによって実装されてもよい。
【００４９】
バックライト電源チップ２６０は、入力ピンＩＮ、基準電流を設定するように構成された設定ピンＩＳＥＴ、及び出力ピンＯＵＴを含んでいる。バックライト電源チップ２６０の内部が更に基準電流源回路２６２を含んでいる。
【００５０】
入力ピンＩＮは、バックライトコントローラ２２０に接続されている。動作において、バックライトコントローラ２２０は、入力ピンＩＮにＰＷＭ信号を送るように構成される。
【００５１】
アジャスタブル抵抗回路２７０の一端は設定ピンＩＳＥＴに接続され、アジャスタブル抵抗回路２７０の他端は接地されている。アジャスタブル抵抗回路２７０は、第１の抵抗ブランチ２７２及び第２の抵抗ブランチ２７４を含んでいる。第１の抵抗ブランチ２７２の抵抗値は、第２の抵抗ブランチ２７４の抵抗値とは異なる。なお、図２は第１の抵抗ブランチ２７２及び第２の抵抗ブランチ２７４を示しているが、これは抵抗ブランチの数についての限定を構成するものではない。例えば、図３Ａは更に別の抵抗ブランチを含む複数の抵抗ブランチを示している。
【００５２】
アジャスタブル抵抗回路２７０は、制御端Ｃ１を含んでいる。制御端Ｃ１は、バックライトコントローラ２２０に接続されている。バックライトコントローラ２２０は、駆動電流の調節範囲を変更する必要がある場合に制御端Ｃ１に切り換え信号を送るように構成される。
【００５３】
制御端Ｃ１は、切り換え信号を受け取り、切り換え信号に従って、設定ピンＩＳＥＴに接続される抵抗ブランチを、第１の抵抗ブランチ２７２から第２の抵抗ブランチ２７４に切り換えるように構成される。バックライト電源チップ２６０は基準電流源回路２６２を含んでおり、基準電流源回路２６２は基準電流を提供するように構成される。設定ピンＩＳＥＴに接続される抵抗ブランチの抵抗値が変化するとき、バックライト電源チップ２６０における基準電流の電流値も変化する。基準電流の大きさ及び設定ピンＩＳＥＴに接続される抵抗ブランチの抵抗値は、反比例の関係にある。
【００５４】
バックライト電源チップ２６０の出力ピンＯＵＴは、バックライト源２８０の一端に接続されている。バックライト源２８０は、一般にバックライトＬＥＤである。オプションで、バックライト源４６０の他端は電源ＶＢＡＴに接続される。
【００５５】
オプションで、バックライト電源チップ２６０及びアジャスタブル抵抗回路２７０は、電子機器のメイン基板上に集積され得る。該メイン基板上には、一般に、バックライトコントローラ２２０、メモリ２４０、及び他の電子デバイスが配置されている。バックライト電源チップ２６０は、メイン基板に配置された集積回路チップである。バックライト電源チップ２６０は、メイン基板上の導電ラインを用いることによってアジャスタブル抵抗回路２７０に電気的に接続される。
【００５６】
オプションで、設定ピンＩＳＥＴは、異なる実施形態では、例えばフルスケール設定ピンといった異なる名称を有し得るが、それらの設定ピンは全て、基準電流を設定するように構成されたピンである。この実施形態において、設定ピンＩＳＥＴの名称について特定の限定は課されない。
【００５７】
図３Ａを参照するに、図３Ａは、一例としてのアジャスタブル抵抗回路２７０の概略構成図を示している。このアジャスタブル抵抗回路２７０は、セレクタスイッチ２７１、第１の抵抗ブランチ２７２、及び第２の抵抗ブランチ２７４を含んでいる。
【００５８】
セレクタスイッチ２７１は、制御端Ｃ１と選択端Ｃ２とを含んでいる。
【００５９】
制御端Ｃ１は、バックライトコントローラ２２０に接続するように構成される。
【００６０】
選択端Ｃ２は、制御端Ｃ１によって受け取られる切り換え信号に従って、設定ピンＩＳＥＴと、第１の抵抗ブランチ２７２又は第２の抵抗ブランチ２７４のいずれかとを接続するように構成される。
【００６１】
オプションで、明るい条件において、選択端Ｃ２は、制御端Ｃ１によって受け取られる切り換え信号に従って、設定ピンＩＳＥＴと、より小さい抵抗値を持つ抵抗ブランチとを接続し、それにより、バックライト電源チップ２６０における基準電流の電流値がいっそう大きい電流値になるようにして、同じデューティサイクルの条件でいっそう大きい駆動電流を出力し、より高いバックライト輝度を得るようにする。暗い条件において、選択端Ｃ２は、制御端Ｃ１によって受け取られる切り換え信号に従って、設定ピンＩＳＥＴと、より大きい抵抗値を持つ抵抗ブランチとを接続し、それにより、バックライト電源チップ２６０における基準電流の電流値がいっそう小さい電流値になるようにして、同じデューティサイクルの条件でいっそう小さい駆動電流を出力し、より低いバックライト輝度を得るようにする。
【００６２】
オプションで、制御端Ｃ１は、汎用入出力（Ｇｅｎｅｒａｌ  Ｐｕｒｐｏｓｅ  Ｉｎｐｕｔ  Ｏｕｔｐｕｔ、略してＧＰＩＯ）を満たす制御端Ｃ１である。
【００６３】
オプションで、アジャスタブル抵抗回路２７０内に２つの抵抗ブランチが存在する。しかしながら、実施形態要求に従って、３つ、４つ、又は更に多くの抵抗ブランチが配置されてもよい。この実施形態において、アジャスタブル抵抗回路２７０内の抵抗ブランチの数について限定は課されない。
【００６４】
オプションで、アジャスタブル抵抗回路２７０は、集積可変抵抗器を用いることによって実装される。
【００６５】
オプションで、アジャスタブル抵抗回路２７０内の抵抗ブランチは、直列回路又は並列回路を用いることによって実装される。
【００６６】
例えば、図３Ｂを参照するに、図３Ｂは、直列回路を用いることによって実装されるアジャスタブル抵抗回路２７０の概略構成図を示している。このアジャスタブル抵抗回路２７０は、セレクタスイッチ２７１と、直列に接続された第１の抵抗ＲＩＳＥＴ１及び第２の抵抗ＲＩＳＥＴ２とを含んでいる。
【００６７】
第１の抵抗ＲＩＳＥＴ１及び第２の抵抗ＲＩＳＥＴ２が第２の抵抗ブランチ２７４を形成し、第２の抵抗ＲＩＳＥＴ２が第１の抵抗ブランチ２７２を形成する。
【００６８】
第２の抵抗ＲＩＳＥＴ２の一端が設定ピンＩＳＥＴに接続され、第２の抵抗ＲＩＳＥＴ２の他端が第１の抵抗ＲＩＳＥＴ１の一端に接続され、そして、第１の抵抗ＲＩＳＥＴ１の他端が接地される。制御端Ｃ１によって受け取られる切り換え信号に従って、セレクタスイッチ２７１における選択端Ｃ２がディスエーブルされるとき、設定ピンＩＳＥＴは第２の抵抗ブランチ２７４に接続され、セレクタスイッチ２７１における選択端Ｃ２がイネーブルされるとき、設定ピンＩＳＥＴは第１の抵抗ブランチ２７２に接続される。
【００６９】
例えば、図３Ｃを参照するに、図３Ｃは、並列回路を用いることによって実装されるアジャスタブル抵抗回路２７０の概略構成図を示している。このアジャスタブル抵抗回路２７０は、セレクタスイッチ２７１と、直列に接続された第３の抵抗ＲＩＳＥＴ１及び第４の抵抗ＲＩＳＥＴ２とを含んでいる。
【００７０】
第３の抵抗ＲＩＳＥＴ１が第１の抵抗ブランチ２７２を形成し、第４の抵抗ＲＩＳＥＴ２が第２の抵抗ブランチ２７４を形成する。第３の抵抗ＲＩＳＥＴ１及び第４の抵抗ＲＩＳＥＴ２は異なる抵抗値を持つ。
【００７１】
第３の抵抗ＲＩＳＥＴ１の一端及び第４の抵抗ＲＩＳＥＴ２の一端が接地される。第３の抵抗ＲＩＳＥＴ１の他端及び第４の抵抗ＲＩＳＥＴ２の他端が、セレクタスイッチ２７１の選択端Ｃ２を用いることによって、設定ピンＩＳＥＴに接続される。制御端Ｃ１によって受け取られる切り換え信号に従って、セレクタスイッチ２７１における選択端が第３の抵抗ＲＩＳＥＴ１に接続されるとき、設定ピンＩＳＥＴは第１の抵抗ブランチ２７２に接続され、セレクタスイッチ２７１における選択端が第４の抵抗ＲＩＳＥＴ２に接続されるとき、設定ピンＩＳＥＴは第２の抵抗ブランチ２７４に接続される。
【００７２】
当業者が予見し得ることには、アジャスタブル抵抗回路２７０の多数の実装が存在する。この実施形態は、単に一例としてのアジャスタブル抵抗回路２７０の２つの実装を示すにすぎず、アジャスタブル抵抗回路２７０の特定の実装について限定は課されない。
【００７３】
公式２によれば、デューティ比の値域が不変であるとき、基準電流の電流値が変化することで、駆動電流の電流値調節範囲が、図１に示される１つの電流値調節範囲［最小デューティサイクル×ＩＦＢ＿ｆｕｌｌ，最大デューティサイクル×ＩＦＢ＿ｆｕｌｌ］から、２つの電流値調節範囲［最小デューティサイクル１×Ｉ１，最大デューティサイクル１×Ｉ１］及び［最小デューティサイクル２×Ｉ２，最大デューティサイクル２×Ｉ２］へと増加されることを学ぶことができる。Ｉ１は、設定ピンＩＳＥＴが第１の抵抗ブランチ２７２に接続されるときの基準電流であり、Ｉ２は、設定ピンＩＳＥＴが第２の抵抗ブランチ２７４に接続されるときの基準電流である。
【００７４】
第１の抵抗ブランチ２７２の抵抗値がＲ１であり、第２の抵抗ブランチ２７４の抵抗値がＲ２であると仮定する。
【００７５】
電流値調節範囲［最小デューティサイクル１×Ｉ１，最大デューティサイクル１×Ｉ１］における最大駆動電流が、電流値調節範囲［最小デューティサイクル２×Ｉ２，最大デューティサイクル２×Ｉ２］における最小駆動電流以下であること、すなわち、最大デューティサイクル１×Ｉ１≦最小デューティサイクル２×Ｉ２であることを確保するためには、公式１を参照して、Ｒ１及びＲ２が以下の条件：
Ｒ１≧Ｒ２×最大デューティサイクル２／最小デューティサイクル１
を満たす必要がある。
【００７６】
あるいは、電流値調節範囲［最小デューティサイクル１×Ｉ１，最大デューティサイクル１×Ｉ１］における最小駆動電流が、電流値調節範囲［最小デューティサイクル２×Ｉ２，最大デューティサイクル２×Ｉ２］における最大駆動電流以上であること、すなわち、最小デューティサイクル１×Ｉ１≧最大デューティサイクル２×Ｉ２であることを確保するためには、公式１を参照して、Ｒ１及びＲ２が以下の条件：
Ｒ１≦Ｒ２×最小デューティサイクル１／最大デューティサイクル２
を満たす必要がある。
【００７７】
なお、最小デューティサイクル１及び最小デューティサイクル２は通常は同じであり、それらの双方が１％である。しかしながら、取り得る一実施形態において、最小デューティサイクル１及び最小デューティサイクル２は異なることがあり、例えば、最小デューティサイクル１＝１０％、及び最小デューティサイクル２＝１％であることがある。同様に、最大デューティサイクル１及び最大デューティサイクル２は通常は同じであり、それらの双方が１００％である。しかしながら、取り得る一実施形態において、最大デューティサイクル１及び最大デューティサイクル２は異なることがあり、例えば、最大デューティサイクル１＝１００％、及び最大デューティサイクル２＝９０％であることがある。これは、この実施形態において限定されることではない。この実施形態では、最小デューティサイクル１及び最小デューティサイクル２が同じであり、それらの双方が１％であるとともに、最大デューティサイクル１及び最大デューティサイクル２が同じであり、それらの双方が１００％である一例を用いて説明する。
【００７８】
この実施形態では、Ｒ１＝Ｒ２×最大デューティサイクル２／最小デューティサイクル１である一例を説明に用いる。ＶＩＳＥＴ＿ｆｕｌｌ＝１．２２９Ｖ、ＫＩＳＥＴ＿ｆｕｌｌ＝１０３０、Ｒ１＝６３４０Ｋ、及びＲ２＝６３．４Ｋであると仮定する。第１の抵抗ブランチ２７２に対応する電流値調節範囲は［０．００２ｍＡ，０．２ｍＡ］であり、第２の抵抗ブランチ２７４に対応する電流値調節範囲は［０．２ｍＡ，２０ｍＡ］である。
【００７９】
アジャスタブル抵抗回路２７０内の２つの抵抗ブランチを用いることによってバックライト調節を実行するために、メモリ２４０は３つの対応テーブルを格納し得る。これら３つの対応テーブルは、それぞれ、期待輝度値とサブテーブル（ｓｕｂｔａｂｌｅ）輝度値との間の要約対応テーブル、第１の“サブテーブル輝度値−デューティサイクル”対応テーブル、及び第２の“サブテーブル輝度値−デューティサイクル”対応テーブルである。第１の“サブテーブル輝度値−デューティサイクル”対応テーブルは、略して第１対応テーブルとして参照されることがある。第２の“サブテーブル輝度値−デューティサイクル”対応テーブルは、略して第２対応テーブルとして参照されることがある。容易に理解されることには、対応テーブルは、単に対応を記述するために使用されており、対応テーブルの提示形態は表に限定されない。また、理解及び説明の容易さのために、この実施形態では３つの対応テーブルを用いている。これは、表の数についての限定を構成するものではなく、３つの対応テーブルを１つのテーブルに統合することもできる。
【００８０】
期待輝度値とサブテーブル輝度値との間の要約対応テーブルは、略して要約テーブルとして参照されることがある。要約テーブル内の期待輝度値の値域のうち一部における期待輝度値は、第１対応テーブル内のサブテーブル輝度値に対応しており、すなわち、値域の該一部における期待輝度値は第１の抵抗ブランチに対応している。要約テーブル内の期待輝度値の値域のうち別の一部における期待輝度値は、第２対応テーブル内のサブテーブル輝度値に対応しており、すなわち、値域の該別の一部における期待輝度値は第２の抵抗ブランチに対応している。例えば、要約テーブルを表２に示す。
【００８１】
【表２】
2019501495.tif 000021
【００８２】
表２において、期待輝度値が０から２５５までであるとき、その期待輝度値は第１の抵抗ブランチに対応している。このケースでは、第１対応テーブルにおける期待輝度値とサブテーブル輝度値との間の対応は、サブテーブル輝度値＝期待輝度値／２５５×５１１の四捨五入値である。期待輝度値が２５６から５１１までであるとき、その期待輝度値は第２の抵抗ブランチに対応している。このケースでは、第２対応テーブルにおける期待輝度値とサブテーブル輝度値との間の対応は、サブテーブル輝度値＝（期待輝度値−２５６）／２５５×５１１の四捨五入値である。
【００８３】
第１対応テーブルは、バックライト電源チップ２６０の設定ピンＩＳＥＴが第１の抵抗ブランチに接続されるときに実際に使用される“サブテーブル輝度値−デューティサイクル”対応テーブルである。例えば、第１対応テーブルを表３に示す。
【００８４】
【表３】
2019501495.tif 000022
【００８５】
第２の“期待輝度値−デューティサイクル”対応テーブルは、略して第２対応テーブルとして参照されることがある。第２対応テーブルは、バックライト電源チップ２６０の設定ピンが第２の抵抗ブランチに接続されるときに使用される必要がある“期待輝度値−デューティサイクル”対応テーブルである。例えば、第２対応テーブルを表４に示す。
【００８６】
【表４】
2019501495.tif 000023
【００８７】
バックライトコントローラ２２０によってバックライトを調節する具体的な一手法は以下のとおりである。
【００８８】
電子機器２００が電源投入されるとき、バックライトコントローラ２２０は、バックライトレジスタＲｅｇ＿Ｉｓｅｔからデフォルトの期待輝度値（予め設定された値、又は電子機器２００が前回にスイッチオフされたときの値）を読み出す。例えば、期待輝度値は２５９であり、要約テーブル内の２５９なる期待輝度値は、第２対応テーブル内の６なるサブテーブル輝度値に対応しており、すなわち、２５９なる期待輝度値は、第２の抵抗ブランチ２７４に対応している。バックライトコントローラ２２０は、アジャスタブル抵抗回路２７０内の第２の抵抗ブランチ２７４を設定ピンＩＳＥＴに接続するように制御する。また、バックライトコントローラ２２０は、第２対応テーブル内で、サブテーブル輝度値６に対応するデューティサイクルが２．１４％であることを見出し、そして、バックライトコントローラ２２０は、そのデューティサイクルが２．１４％であるＰＷＭ信号をバックライト電源チップ２６０の入力ピンＩＮに送る。この場合、バックライト電源チップ２６０における基準電流は２０ｍＡであり、２０×２．１４％＝０．４２８ｍＡの駆動電流が出力ピンＯＵＴを用いることによって出力され、そして、バックライト源２８０が、０．４２８ｍＡの駆動電流に従ったバックライトを外部に出力する。
【００８９】
電子機器２００の動作過程において、３つの要因が期待輝度値の変化を生じさせ得る。
【００９０】
１つ目は、ユーザが手動で期待輝度値を変更する。
【００９１】
バックライト輝度の調節制御が、電子機器の設定インタフェースにて提供される。調節制御は概して、図４に示すようなボタン４２０及びドラッグバー４４０を含むドラッグ調節制御である。ユーザは、ボタン４２０をドラッグバー４４０の異なる位置にドラッグして期待輝度値を変更する。
【００９２】
２つ目は、アプリケーションプログラムが、そのアプリケーションプログラムの制御ロジックに従って期待輝度値を変更する。
【００９３】
バックライトコントローラ２２０によって期待輝度値に対して行われる調節は、オペレーティングシステムレベルで制御するものである。オペレーティングシステムはアプリケーション層を含んでおり、アプリケーション層にて、例えば、インスタントメッセージングプログラム、電子書籍読書プログラム、電話プログラム、及びショートメッセージサービスプログラムといった様々なアプリケーションプログラムが実行される。或るアプリケーションプログラムが、そのアプリケーションプログラムの制御ロジックによって期待輝度値を変更する。例えば、アプリケーションプログラムが電子書籍読書プログラムであるとき、夜間読書モードにおいて期待輝度値が５０に変更される。別の一例では、アプリケーションプログラムが電話プログラムであるとき、通話モードにおいて期待輝度値が０に変更される。
【００９４】
３つ目は、オペレーティングシステムが、周辺光強度に従って期待輝度値を変更する。
【００９５】
通常、電子機器上に更に光センサが配設され、その光センサを用いることによって周辺光強度が収集される。オペレーティングシステムは、周辺光強度に従って期待輝度値を変更することができる。例えば、周辺光強度がＡであるときには期待輝度値が１００に設定され、周辺光強度がＢであるときには期待輝度値が２００に設定される。
【００９６】
この実施形態において、期待輝度値を変更する手法に限定は課されない。
【００９７】
取り得る一実施形態において、２５９なるデフォルトの期待輝度値が、ユーザによって手動で２５８に変更される。バックライトコントローラ２２０は、要約テーブル内で、２５８なる期待輝度値に対応するサブテーブル輝度値が第２対応テーブル内の４であること、すなわち、２５８なる期待輝度値に対応する抵抗ブランチが第２の抵抗ブランチ２７４であることを見出す。この場合、設定ピンＩＳＥＴに接続されている抵抗ブランチが第２の抵抗ブランチ２７４であるため、抵抗ブランチは切り換えられる必要がない。バックライトコントローラ２２０は、第２対応テーブル内で、４なるサブテーブル輝度値に対応するデューティサイクルが１．７６％であることを見出し、そして、バックライトコントローラ２２０は、そのデューティサイクル１．７６％であるＰＷＭ信号をバックライト電源チップ２６０の入力ピンＩＮに送る。この場合、バックライト電源チップ２６０における基準電流は２０ｍＡであり、２０×１．７６％＝０．３５２ｍＡの駆動電流が出力ピンＯＵＴを用いることによって出力され、そして、バックライト源２８０が、０．３５２ｍＡの駆動電流に従ったバックライトを外部に出力する。
【００９８】
取り得る他の一実施形態において、２５９なるデフォルトの期待輝度値が、ユーザによって手動で５０に変更される。バックライトコントローラ２２０は、要約テーブル内で、５０なる期待輝度値に対応するサブテーブル輝度値が第１対応テーブル内の１００であること、すなわち、５０なる期待輝度値に対応する抵抗ブランチが第１の抵抗ブランチ２７２であることを見出す。この場合、設定ピンＩＳＥＴに接続されている抵抗ブランチが第２の抵抗ブランチ２７４であるため、バックライトコントローラ２２０は、設定ピンＩＳＥＴに接続されている第２の抵抗ブランチ２７４を、第１の抵抗ブランチ２７２に切り換える必要がある。バックライトコントローラ２２０は、先ず、切り換え信号をアジャスタブル抵抗回路２７０の制御端Ｃ１に送る。切り換え信号を受け取った後、アジャスタブル抵抗回路２７０は、設定ピンＩＳＥＴと第１の抵抗ブランチ２７２とを接続する。次いで、バックライトコントローラ２２０は、第１対応テーブル内で、１００なるサブテーブル輝度値に対応するデューティサイクルが２０％であることを見出し、そして、バックライトコントローラ２２０は、そのデューティサイクル２０％であるＰＷＭ信号をバックライト電源チップ２６０の入力ピンＩＮに送る。この場合、バックライト電源チップ２６０における基準電流は０．２ｍＡであり、０．２×２０％＝０．０４ｍＡの駆動電流が出力ピンＯＵＴを用いることによって出力され、そして、バックライト源２８０が、０．０４ｍＡの駆動電流に従ったバックライトを外部に出力する。
【００９９】
ユーザによって手動で期待輝度値が５０から２６０まで変更される場合、バックライトコントローラ２２０は、要約テーブル内で、２６０なる期待輝度値に対応するサブテーブル輝度値が第２対応テーブル内の８であること、すなわち、２６０なる期待輝度値に対応する抵抗ブランチが第２の抵抗ブランチ２７４であることを見出す。この場合、設定ピンＩＳＥＴに接続されている抵抗ブランチが第１の抵抗ブランチ２７２であるため、バックライトコントローラ２２０は、設定ピンＩＳＥＴに接続されている第１の抵抗ブランチ２７２を、第２の抵抗ブランチ２７４に切り換える必要がある。バックライトコントローラ２２０は、先ず、切り換え信号をアジャスタブル抵抗回路２７０の制御端Ｃ１に送る。切り換え信号を受け取った後、アジャスタブル抵抗回路２７０は、第２の抵抗ブランチ２７４と設定ピンＩＳＥＴとを接続する。次いで、バックライトコントローラ２２０は、第２対応テーブル内で、８なるサブテーブル輝度値に対応するデューティサイクルが２．５２％であることを見出し、そして、バックライトコントローラ２２０は、そのデューティサイクル２．５２％であるＰＷＭ信号をバックライト電源チップ２６０の入力ピンＩＮに送る。この場合、バックライト電源チップ２６０における基準電流は２０ｍＡであり、２０×２．５２％＝０．５０４ｍＡの駆動電流が出力ピンＯＵＴを用いることによって出力され、そして、バックライト源２８０が、０．５０４ｍＡの駆動電流に従ったバックライトを外部に出力する。
【０１００】
しかしながら、実験においてエンジニアが見出すことには、期待輝度値が５０から２６０に直接切り換えられると、駆動電流が０．０４ｍＡから０．５０４ｍＡに急に変化し、変化振幅が１０倍よりも大きいため、ユーザの視点からは、バックライトがちらついた後に突然明るくなる。バックライトのちらつきは、ユーザの眼をくらませるとともに、バックライト源２８０の物理的寿命の消費を加速させる。より好適な一実施形態では、ユーザの眼がバックライト変化過程によりよく適応することができるとともにバックライト源２８０の物理的寿命が保護されるように、駆動電流が徐々に変化される必要がある。
【０１０１】
具体的には、ユーザによって手動で期待輝度値が５０から２６０まで変更される場合、バックライトコントローラ２２０は、要約テーブル内で、５０なる期待輝度値に対応するサブテーブル輝度値が第１対応テーブル内の１００であること、及び、２６０なる期待輝度値に対応するサブテーブル輝度値が第２対応テーブル内の８であること見出す。
【０１０２】
切り換え信号を送る前に、バックライトコントローラ２２０は、切り換え前の現在出力されているＰＷＭ信号のデューティサイクルを、１００％なる最大デューティサイクル１まで徐々に増大させる。詳細は以下のとおりである。
【０１０３】
バックライトコントローラ２２０は、先ず、第１対応テーブル内の１００なるサブテーブル輝度値に１を加算して、１０１なるサブテーブル輝度値を取得し、第１対応テーブル内で、１０１なるサブテーブル輝度値に対応するデューティサイクルが２０．１９％であることを見出し、そして、そのデューティサイクルが２０．１９％であるＰＷＭ信号を入力ピンＩＮに送る。この場合、駆動電流は０．０４０３８ｍＡである。
【０１０４】
次いで、バックライトコントローラ２２０は、第１対応テーブル内の１０１なるサブテーブル輝度値に１を加算して、１０２なるサブテーブル輝度値を取得し、第１対応テーブル内で、１０２なるサブテーブル輝度値に対応するデューティサイクルが２０．３８％であることを見出し、そして、そのデューティサイクルが２０．３８％であるＰＷＭ信号を入力ピンＩＮに送る。この場合、駆動電流は０．０４０７６ｍＡである。
【０１０５】
次いで、バックライトコントローラ２２０は、第１対応テーブル内の１０２なるサブテーブル輝度値に１を加算して、１０３なるサブテーブル輝度値を取得し、第１対応テーブル内で、１０３なるサブテーブル輝度値に対応するデューティサイクルが２０．５７％であることを見出し、そして、そのデューティサイクルが２０．５７％であるＰＷＭ信号を入力ピンＩＮに送る。この場合、駆動電流は０．０４１１４ｍＡである。
【０１０６】
同様にすることにより、第１対応テーブル内の最大値５１１を得るまでサブテーブル輝度値に逐次に１を加算すると、バックライトコントローラ２２０は、そのデューティサイクルが１００％であるＰＷＭ信号を出力する。この場合、図５に示すように、駆動電流は０．２ｍＡである。
【０１０７】
切り換え信号を送った後、バックライトコントローラ２２０は更に、切り換え後に出力されるＰＷＭ信号のデューティサイクルを、最小デューティサイクル２から、２６０なる期待輝度値に対応するデューティサイクル２．５２％まで徐々に増大させる必要がある。詳細は以下のとおりである。
【０１０８】
サブテーブル輝度値が第１対応テーブル内の最大値５１１まで上昇されると、バックライトコントローラ２２０は、切り換え信号をアジャスタブル抵抗回路２７０の制御端Ｃ１に送る。切り換え信号を受け取った後、アジャスタブル抵抗回路２７０は、第２の抵抗ブランチ２７４と設定ピンＩＳＥＴとを接続する。第１の抵抗ブランチ２７２が第２の抵抗ブランチ２７４に切り換えられた後、バックライトコントローラ２２０は、サブテーブル輝度値を、第２対応テーブル内の０なる最小サブテーブル輝度値に更新し、第２対応テーブル内で、０なるサブテーブル輝度値に対応するデューティサイクルが、１％なる最小デューティサイクル２であることを見出し、そして、そのデューティサイクルが１％であるＰＷＭ信号を入力ピンＩＮに送る。この場合、駆動電流は０．２ｍＡである。
【０１０９】
バックライトコントローラ２２０は、第２対応テーブル内の０なるサブテーブル輝度値に１を加算して、１なるサブテーブル輝度値を取得し、第２対応テーブル内で、１なるサブテーブル輝度値に対応するデューティサイクルが１．１９％であることを見出し、そして、そのデューティサイクルが１．１９％であるＰＷＭ信号を入力ピンＩＮに送る。この場合、駆動電流は０．２３８ｍＡである。
【０１１０】
同様にすることにより、第２対応テーブル内の８なるサブテーブル輝度値を得るまでサブテーブル輝度値に逐次に１を加算すると、バックライトコントローラ２２０は、そのデューティサイクルが２．５２％であるＰＷＭ信号を入力ピンＩＮに送る。この場合、駆動電流は０．５０４ｍＡである。
【０１１１】
明らかなように、駆動電流は、０．０４ｍＡから、０．０４０３８ｍＡ、０．０４０７６ｍＡ、…、０．２ｍＡ、０．２３８ｍＡ、…、０．５０４ｍＡまで徐々に増大される。ユーザの視点からは、バックライトが徐々に明るくなる。ちらつきが存在しないとともに、バックライト源２８０の物理的寿命を保護することができる。
【０１１２】
加えて、ユーザは、暗い環境内でのバックライト変化に対してかなり敏感である。しかしながら、第１対応テーブル内の２つの隣り合う駆動電流の調節ステップ幅が０．０００３８ｍＡであり、第２対応テーブル内の２つの隣り合う駆動電流間の調節ステップ幅が０．０３８ｍＡであるため、本発明のこの実施形態においては、より低いバックライト輝度における調節ステップ幅が、より高いバックライト輝度における調節ステップ幅よりも小さい。ユーザは、２つの隣り合う駆動電流間の変化を知覚しにくい。すなわち、低めのバックライト輝度におけるバックライト傾斜プロセスの方が細かくてソフトである。
【０１１３】
なお、バックライト調節プロセスにおいては、より小さい期待輝度値がより大きい期待輝度値へと調節されることもあるし、より大きい期待輝度値がより小さい期待輝度値へと調節されることもある。
【０１１４】
要するに、本発明のこの実施形態にて提供される電子機器においては、バックライト電源チップの設定ピンが、アジャスタブル抵抗回路に接続され、アジャスタブル抵抗回路が、バックライト電源チップにおける基準電流を変化させ、それにより、駆動電流の電流値調節範囲を変化させるように、設定ピンに接続される抵抗ブランチを、切り換え信号に従って、第１の抵抗ブランチから第２の抵抗ブランチへと切り換える。これは、バックライト電源チップの限られたハードウェア性能に起因して、バックライト電源チップは限られた電流値調節範囲内でしか駆動電流を出力することができないので、バックライトＬＥＤによって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０１１５】
本発明のこの実施形態にて提供される電子機器によれば、いっそう大きい変化範囲を持つ電流値調節範囲を実装するように、第１の抵抗ブランチに対応する電流値調節範囲と第２の抵抗ブランチに対応する電流値調節範囲とが、連続した電流値調節範囲へと組み合わされることができるよう、Ｒ１＝Ｒ２×最大デューティサイクル２／最小デューティサイクル１、又はＲ１＝Ｒ２×最小デューティサイクル１／最大デューティサイクル２が設定され得る。このいっそう大きい変化範囲を持つ電流値調節範囲によれば、第１の抵抗ブランチと第２の抵抗ブランチとの間で切り換えが行われるときにちらつきが存在しない。
【０１１６】
本発明のこの実施形態にて提供される電子機器によれば、期待輝度値が第１のサブテーブル輝度値から第２のサブテーブル輝度値まで変更されるプロセスにおいて、次第に１を加算すること又は次第に１を減算することによって、第１のサブテーブル輝度値が第２のサブテーブル輝度値まで徐々に変化され、それにより、駆動電流が徐々に変化され、バックライトが徐々に変化され、そして、ユーザの眼がバックライト変化過程によりよく適応し得るとともに、バックライト源の物理的寿命が保護される。
【０１１７】
本発明のこの実施形態にて提供される電子機器によれば、小さめの電流値調節範囲の方で、２つの隣り合う駆動電流間の調節ステップ幅が小さく、それにより、ユーザは暗い環境内でのバックライト変化に対してかなり敏感であるものの、ユーザは２つの隣り合う駆動電流間の変化を知覚しにくい。すなわち、低めのバックライト輝度におけるバックライト傾斜プロセスの方が細かくてソフトである。
【０１１８】
図５を参照して学ぶことができることには、第１対応テーブル及び第２対応テーブル双方が５１２個のサブテーブル輝度値を持つので、バックライトコントローラ２２０は、１０２４個の輝度レベルでバックライト輝度を調節する能力を持っている。しかしながら、メモリ２４０が、要約テーブル、第１対応テーブル、及び第２対応テーブルという３つの表を格納する必要がある。オプションの一実施形態において、要約テーブル、第１対応テーブル、及び第２対応テーブルは、１つのテーブルに統合されることができる。バックライトレジスタがなおも９ビットである場合、そのテーブルを表５に示す。
【０１１９】
【表５】
2019501495.tif 000024
【０１２０】
この場合、２つの隣り合うデューティサイクル間の調節ステップ幅が０．１９％から０．３８％に変更され、バックライトコントローラ２２０は５１２個の輝度レベルでのみバックライト輝度を調節することができる。期待輝度値［０，２５５］に対応する抵抗ブランチが第１の抵抗ブランチであり、期待輝度値［２５６，５１１］に対応する抵抗ブランチが第２の抵抗ブランチである。
【０１２１】
なお、第１の抵抗ブランチの抵抗値Ｒ１と第２の抵抗ブランチの抵抗値Ｒ２とが異なるので、第１の抵抗ブランチに対応する電流値調節範囲及び第２の抵抗ブランチに対応する電流値調節範囲に関して、３つのケースが存在し得る。
【０１２２】
１つ目は、これら２つの電流値調節範囲は互いに交わらない。このケースでは、Ｒ１＞Ｒ２×最大デューティサイクル２／最小デューティサイクル１、又はＲ１＜Ｒ２×最小デューティサイクル１／最大デューティサイクル２である。例えば、第１の抵抗ブランチ２７２に対応する電流値調節範囲が［０．００１５ｍＡ，０．１５ｍＡ］であり、第２の抵抗ブランチ２７４に対応する電流値調節範囲が［０．１６ｍＡ，１６ｍＡ］である。オプションで、これら２つの電流値調節範囲間の範囲が比較的小さいとき、例えば、０．１５ｍＡと０．１６ｍＡとの間の差が０．０１ｍＡのみであるとき、２つの抵抗ブランチが切り換えられるときの駆動電流ジャンプが比較的弱く、それ故に、ユーザがこのジャンプに気付くことは殆どない。
【０１２３】
２つ目は、これら２つの電流値調節範囲が境界値で交わる。このケースでは、Ｒ１＝Ｒ２×最大デューティサイクル２／最小デューティサイクル１、又はＲ１＝Ｒ２×最小デューティサイクル１／最大デューティサイクル２である。例えば、第１の抵抗ブランチ２７２に対応する電流値調節範囲が［０．００１５ｍＡ，０．１５ｍＡ］であり、第２の抵抗ブランチ２７４に対応する電流値調節範囲が［０．１５ｍＡ，１５ｍＡ］である。これら２つの抵抗ブランチが切り換えられるとき、駆動電流遷移は存在せず、すなわち、これら２つの電流値調節範囲が、連続した電流値調節範囲を形成するように接続され得る。
【０１２４】
３つ目は、これら２つの電流値調節範囲は、ある区間のセグメント内で交わる。例えば、第１の抵抗ブランチに対応する電流値調節範囲が［０．００１５ｍＡ，０．１５ｍＡ］であり、第２の抵抗ブランチに対応する電流値調節範囲が［０．１０ｍＡ，１０ｍＡ］である。このケースでは、これら２つの電流値調節範囲が互いに交わらないように又は境界値でのみ交わるように、或る対応テーブル内の電流値調節範囲の最小デューティサイクル及び／又は最大デューティサイクルが前もって変更される。例えば、第２の抵抗ブランチに対応する電流値調節範囲が［０．１５ｍＡ，１０ｍＡ］に変更されるように、第２の抵抗ブランチの最小デューティサイクルが変更される。
【０１２５】
バックライトコントローラによってバックライト調節を実行する方法を要約する。図６を参照するに、図６は、本発明の一実施形態に従ったバックライト調節方法の方法フローチャートを示している。この方法は、図２に示した実施形態にて提供されるバックライトコントローラ２２０によって実行され得る。この方法は、以下のステップを含む。
【０１２６】
ステップ６０１：期待輝度値を取得し、期待輝度値は、バックライト源によって放出される期待バックライト輝度を指し示すために使用される。
【０１２７】
電子機器が電源投入されるとき、期待輝度値はデフォルトの期待輝度値である。
【０１２８】
電子機器の動作過程において、期待輝度値を変更することは、これらに限られないが、以下の３つの手法を含む。
【０１２９】
１つ目は、ユーザが手動で期待輝度値を変更する。
【０１３０】
２つ目は、アプリケーションプログラムが、そのアプリケーションプログラムの制御ロジックに従って期待輝度値を変更する。
【０１３１】
３つ目は、オペレーティングシステムが、周辺光強度に従って期待輝度値を変更する。
【０１３２】
ステップ６０２：期待輝度値に対応する抵抗ブランチを決定し、抵抗ブランチは、第１の抵抗ブランチ又は第２の抵抗ブランチのいずれかである。
【０１３３】
バックライトコントローラは、表２に示した要約テーブル、又は表５に示した対応テーブルにクエリーすることによって、期待輝度値に対応する抵抗ブランチを決定する。
【０１３４】
ステップ６０３：期待輝度値に対応する抵抗ブランチが、設定ピンに接続されている抵抗ブランチとは異なるとき、切り換え信号をアジャスタブル抵抗回路の制御端に送る。
【０１３５】
ステップ６０４：バックライト電源チップにＰＷＭ信号を送り、ＰＷＭ信号のデューティサイクルは期待輝度値に対応している。
【０１３６】
バックライトコントローラは、表３に示した第１対応テーブル、又は表４に示した第２対応テーブル、又は表５に示した対応テーブルにクエリーすることによって、期待輝度値に対応するデューティサイクルを決定する。そして、バックライトコントローラは、そのデューティサイクルを満たすＰＷＭ信号をバックライト電源チップの入力ピンＩＮに送る。
【０１３７】
バックライト電源チップは、基準電流に基づいて、且つＰＷＭ信号のデューティサイクルに従って、駆動電流を生成して、該駆動電流をバックライト源に送るように構成され、バックライト源は、駆動電流に従ってバックライトを放出するように構成される。
【０１３８】
要するに、この実施形態にて提供されるバックライト調節方法によれば、バックライトコントローラが、期待輝度値を取得し、該期待輝度値に対応する抵抗ブランチが、設定ピンに接続されている抵抗ブランチとは異なるときに、切り換え信号をアジャスタブル抵抗回路の制御端に送る。アジャスタブル抵抗回路が、バックライト電源チップにおける基準電流を変化させ、それにより、駆動電流は基準電流に基づいて生成されるので駆動電流の電流値調節範囲を変化させるように、設定ピンに接続される抵抗ブランチを、切り換え信号に従って、第１の抵抗ブランチと第２の抵抗ブランチとの間で切り換える。これは、バックライト電源チップの限られたハードウェア性能に起因して、バックライト電源チップは限られた電流値調節範囲内でしか駆動電流を出力することができないので、バックライト源によって出力される輝度が限られた輝度範囲内に収まってしまう、という問題を解決し、バックライト強度がより低い輝度又はより高い輝度に到達するように、いっそう大きい電流値調節範囲内で駆動電流を出力するよう、異なる抵抗ブランチを用いることによってバックライト電源における基準電流を変化させる。
【０１３９】
バックライト輝度の急な変化及びちらつきを回避するために、バックライトコントローラは更に、バックライト切り換えプロセスにおいて、駆動電流に対する傾斜調節を実行し得る。
【０１４０】
Ｒ１＞Ｒ２及びＲ１＜Ｒ２という２つの抵抗値条件と、より小さい期待輝度値がより大きい期待輝度値に調節される又はより大きい期待輝度値がより小さい期待輝度値に調節されるという２つの調節ケースとが存在するので、合計４つの取り得る実施形態が存在する。
【０１４１】
第１実施形態では、Ｒ１＞Ｒ２であるとともに、第１の抵抗ブランチに対応するより小さい期待輝度値が、第２の抵抗ブランチに対応するより大きい期待輝度値に調節される。
【０１４２】
第２実施形態では、Ｒ１＜Ｒ２であるとともに、第１の抵抗ブランチに対応するより大きい期待輝度値が、第２の抵抗ブランチに対応するより小さい期待輝度値に調節される。
【０１４３】
第３実施形態では、Ｒ１＞Ｒ２であるとともに、第２の抵抗ブランチに対応するより大きい期待輝度値が、第１の抵抗ブランチに対応するより小さい期待輝度値に調節される。
【０１４４】
第４実施形態では、Ｒ１＜Ｒ２であるとともに、第２の抵抗ブランチに対応するより小さい期待輝度値が、第１の抵抗ブランチに対応するより大きい期待輝度値に調節される。
【０１４５】
図７Ａを参照するに、図７Ａは、本発明の他の一実施形態に従ったバックライト調節方法のフローチャートを示している。この方法は、図２に示した実施形態にて提供されるバックライトコントローラ２２０によって実行されることができ、また、上記第１実施形態でのバックライト調節を実行するために使用される。この方法は、以下のステップを含む。
【０１４６】
ステップ７０１：期待輝度値を取得し、期待輝度値は、バックライト源によって放出される期待バックライト輝度を指し示すために使用される。
【０１４７】
電子機器が電源投入されるとき、期待輝度値はデフォルトの期待輝度値である。
【０１４８】
電子機器の動作過程において、期待輝度値を変更することは、これらに限られないが、以下の３つの手法を含む。
【０１４９】
１つ目は、ユーザが手動で期待輝度値を変更する。
【０１５０】
２つ目は、アプリケーションプログラムが、そのアプリケーションプログラムの制御ロジックに従って期待輝度値を変更する。
【０１５１】
３つ目は、オペレーティングシステムが、周辺光強度に従って期待輝度値を変更する。
【０１５２】
ステップ７０２：期待輝度値に対応する抵抗ブランチを決定し、抵抗ブランチは、第１の抵抗ブランチ又は第２の抵抗ブランチのいずれかである。
【０１５３】
バックライトコントローラは、表２に示した要約テーブル、又は表５に示した対応テーブルにクエリーすることによって、期待輝度値に対応する抵抗ブランチを決定する。
【０１５４】
ステップ７０３：期待輝度値に対応する抵抗ブランチが、設定ピンに接続されている抵抗ブランチとは異なり、且つ、設定ピンに接続されている抵抗ブランチが第１の抵抗ブランチであり、第１の抵抗ブランチの抵抗値が第２の抵抗ブランチの抵抗値よりも大きいとき、現在出力されているＰＷＭ信号のデューティサイクルを最大デューティサイクル１まで徐々に増大させる。
【０１５５】
最大デューティサイクル１は、設定ピンが第１の抵抗ブランチに接続されるときの最大デューティサイクルである。
【０１５６】
バックライトコントローラが現在出力されているＰＷＭ信号のデューティサイクルを最大デューティサイクル１まで徐々に増大させるときに使用される調節ステップ幅は限定されない。調節ステップ幅は、例えば表３又は表４に示した０．１９％といった、２つの隣り合うサブテーブル輝度値に対応するデューティサイクル間の差であってもよいし、あるいは、調節ステップ幅は、例えば表５に示した０．３８％といった、２つの隣り合う期待輝度値に対応するデューティサイクルの差であってもよいし、あるいは、調節ステップ幅は、その他の取り得る値であってもよい。
【０１５７】
ステップ７０４：切り換え信号をアジャスタブル抵抗回路の制御端に送る。
【０１５８】
設定ピンに接続されている抵抗ブランチが第１の抵抗ブランチであるとき、切り換え信号は、第２の抵抗ブランチと設定ピンとを接続するようにアジャスタブル抵抗回路をトリガーするために使用される。
【０１５９】
設定ピンに接続されている抵抗ブランチが第２の抵抗ブランチであるとき、切り換え信号は、第１の抵抗ブランチと設定ピンとを接続するようにアジャスタブル抵抗回路をトリガーするために使用される。
【０１６０】
ステップ７０５：期待輝度値に対応するデューティサイクルをクエリーする。
【０１６１】
バックライトコントローラは、要約テーブル、第１対応テーブル、及び第２対応テーブル内で、期待輝度値に対応するデューティサイクルをクエリーし、あるいは、バックライトコントローラは、表５に示した対応テーブル内で、期待輝度値に対応するデューティサイクルをクエリーする。
【０１６２】
ステップ７０６：切り換え後に設定ピンに接続される抵抗ブランチが第２の抵抗ブランチであり、且つ、第１の抵抗ブランチの抵抗値が第２の抵抗ブランチの抵抗値よりも大きいとき、現在出力されているＰＷＭ信号のデューティサイクルを、最小デューティサイクル２から、期待輝度値に対応するデューティサイクルまで徐々に増大させる。
【０１６３】
最小デューティサイクル２は、設定ピンが第２の抵抗ブランチに接続されるときの最小デューティサイクルである。
【０１６４】
バックライトコントローラが現在出力されているＰＷＭ信号の最小デューティサイクル２を期待輝度値に対応するデューティサイクルまで徐々に増大させるときに使用される調節ステップ幅は限定されない。調節ステップ幅は、例えば表３又は表４に示した０．１９％といった、２つの隣り合うサブテーブル輝度値に対応するデューティサイクル間の差であってもよいし、あるいは、調節ステップ幅は、例えば表５に示した０．３８％といった、２つの隣り合う期待輝度値に対応するデューティサイクルの差であってもよいし、あるいは、調節ステップ幅は、その他の取り得る値であってもよい。
【０１６５】
要するに、この実施形態にて提供されるバックライト調節方法によれば、切り換え信号が送られる前、ステップ７０３に従ってＰＷＭ信号が徐々に変化し、バックライト輝度は急には変化されず、それにより、バックライト輝度のちらつきが回避される。切り換え信号が送られた後、ステップ７０６に従ってＰＷＭ信号が徐々に変化し、バックライト輝度は急には変化されず、それにより、バックライト輝度のちらつきが回避される。
【０１６６】
同様に、第２実施形態では、図７Ｂに示すように、ステップ７０３がステップ７０３ａで置き換えられ得るとともに、ステップ７０６がステップ７０６ａで置き換えられ得る。
【０１６７】
ステップ７０３ａ：期待輝度値に対応する抵抗ブランチが、設定ピンに接続されている抵抗ブランチとは異なり、且つ、設定ピンに接続されている抵抗ブランチが第１の抵抗ブランチであり、第１の抵抗ブランチの抵抗値が第２の抵抗ブランチの抵抗値よりも小さいとき、現在出力されているＰＷＭ信号のデューティサイクルを最小デューティサイクル１まで徐々に低減させる。
【０１６８】
最小デューティサイクル１は、設定ピンが第１の抵抗ブランチに接続されるときの最小デューティサイクルである。
【０１６９】
ステップ７０６ａ：切り換え後に設定ピンに接続される抵抗ブランチが第２の抵抗ブランチであり、且つ、第１の抵抗ブランチの抵抗値が第２の抵抗ブランチの抵抗値よりも小さいとき、現在出力されているＰＷＭ信号のデューティサイクルを、最大デューティサイクル２から、期待輝度値に対応するデューティサイクルまで徐々に低減させる。
【０１７０】
最大デューティサイクル２は、設定ピンが第２の抵抗ブランチに接続されるときの最大デューティサイクルである。
【０１７１】
同様に、第３実施形態では、図７Ｃに示すように、ステップ７０３がステップ７０３ｂで置き換えられ得るとともに、ステップ７０６がステップ７０６ｂで置き換えられ得る。
【０１７２】
ステップ７０３ｂ：期待輝度値に対応する抵抗ブランチが、設定ピンに接続されている抵抗ブランチとは異なり、且つ、設定ピンに接続されている抵抗ブランチが第２の抵抗ブランチであり、第１の抵抗ブランチの抵抗値が第２の抵抗ブランチの抵抗値よりも大きいとき、現在出力されているＰＷＭ信号のデューティサイクルを最小デューティサイクル２まで徐々に低減させる。
【０１７３】
最小デューティサイクル２は、設定ピンが第２の抵抗ブランチに接続されるときの最小デューティサイクルである。
【０１７４】
ステップ７０６ｂ：切り換え後に設定ピンに接続される抵抗ブランチが第１の抵抗ブランチであり、且つ、第１の抵抗ブランチの抵抗値が第２の抵抗ブランチの抵抗値よりも大きいとき、現在出力されているＰＷＭ信号のデューティサイクルを、最大デューティサイクル１から、期待輝度値に対応するデューティサイクルまで徐々に低減させる。
【０１７５】
最大デューティサイクル１は、設定ピンが第１の抵抗ブランチに接続されるときの最大デューティサイクルである。
【０１７６】
同様に、第４実施形態では、図７Ｄに示すように、ステップ７０３がステップ７０３ｃで置き換えられ得るとともに、ステップ７０６がステップ７０６ｃで置き換えられ得る。
【０１７７】
ステップ７０３ｃ：期待輝度値に対応する抵抗ブランチが、設定ピンに接続されている抵抗ブランチとは異なり、且つ、設定ピンに接続されている抵抗ブランチが第２の抵抗ブランチであり、第１の抵抗ブランチの抵抗値が第２の抵抗ブランチの抵抗値よりも小さいとき、現在出力されているＰＷＭ信号のデューティサイクルを最大デューティサイクル２まで徐々に増大させる。
【０１７８】
最大デューティサイクル２は、設定ピンが第２の抵抗ブランチに接続されるときの最大デューティサイクルである。
【０１７９】
ステップ７０６ｃ：切り換え後に設定ピンに接続される抵抗ブランチが第１の抵抗ブランチであり、且つ、第１の抵抗ブランチの抵抗値が第２の抵抗ブランチの抵抗値よりも小さいとき、現在出力されているＰＷＭ信号のデューティサイクルを、最小デューティサイクル１を、期待輝度値に対応するデューティサイクルまで徐々に増大させる。
【０１８０】
最小デューティサイクル１は、設定ピンが第１の抵抗ブランチに接続されるときの最小最大デューティサイクルである。
【０１８１】
当業者が理解し得ることには、これらの実施形態のステップの全て又は一部は、ハードウェア又は関連ハードウェアに命令するプログラムによって実装され得る。プログラムは、コンピュータ読み取り可能記憶媒体に格納され得る。記憶媒体は、読み出し専用メモリ、磁気ディスク、又は光ディスクを含み得る。
【０１８２】
以上の説明は、単に本発明の実施形態例に過ぎず、本発明を限定することを意図したものではない。本発明の精神及び原理を逸脱することなく為される如何なる変更、均等物、置換、及び改良も、本発明の保護範囲に入るものである。
【国際調査報告】
2019501495.tif 000025
2019501495.tif 000026
2019501495.tif 000027
2019501495.tif 000028
2019501495.tif 000029